(57)【要約】【課題】点検スケジュールや点検結果を管理可能で、漏れやミスのない点検作業を行うことが期待できるととともに、誰でも容易に点検作業を行うことが期待できる点検システムを提供する。【解決手段】本発明の点検処理システム１０は、サーバ２１と端末装置４１とから構成され、端末装置４１は、サーバ２１より受け取った複数の点検情報に基づいて表示部に複数の点検情報画像の表示を行い、表示部に表示された複数の点検情報画像に応じて入力された点検結果情報を記憶し、記憶された点検結果情報をサーバ２１に提供するものであり、サーバ２１は、端末装置４１より提供された点検結果情報と、端末装置４１に提供した複数の点検情報と、を関連付けて記憶する。【選択図】    図２６
2004310616.tif 000002
【特許請求の範囲】
【請求項１】
複数の点検情報を記憶する点検情報記憶手段と、当該点検情報記憶手段により記憶された複数の点検情報を提供する点検情報提供手段と、を備えたサーバと、
画像が表示される表示部と、前記サーバにおける点検情報提供手段から提供された複数の点検情報を受け取る点検情報受取手段と、を備えた端末装置と、からなる点検システムであって、
前記端末装置は、前記点検情報受取手段により受け取った複数の点検情報に基づいて前記表示部に複数の点検情報画像の表示を行う点検情報画像表示手段と、
前記点検情報画像表示手段により前記表示部に表示された複数の点検情報画像に応じて点検結果情報が入力される点検結果情報入力手段と、
前記点検結果情報入力手段により入力された点検結果情報を記憶する点検結果情報記憶手段と、
前記点検結果情報記憶手段により記憶された点検結果情報を前記サーバに提供する点検結果情報提供手段と、を備え、
前記サーバは、前記端末装置が備える点検結果情報提供手段により提供された点検結果情報を受け取る点検結果情報受取手段と、を備え、
前記サーバの備える点検情報記憶手段は、前記点検結果情報受取手段により受け取った点検結果情報と、前記点検情報提供手段により前記端末装置に提供した複数の点検情報と、を関連付けて記憶することを特徴とする点検システム。
【請求項２】
複数の点検情報を記憶する点検情報記憶手段と、当該点検情報記憶手段により記憶された複数の点検情報を提供する点検情報提供手段と、を備えたサーバであって、
前記端末装置が備える点検結果提供手段により提供された点検結果情報を受け取る点検結果情報受取手段と、
前記サーバの備える点検情報記憶手段は、前記点検結果情報受取手段により受け取った点検結果情報と、前記点検情報提供手段により前記端末装置に提供した複数の点検情報と、を関連付けて記憶することを特徴とするサーバ。
【請求項３】
前記点検情報記憶手段は、前記複数の点検情報に含まれ、当該複数の点検情報に関連付けられた、複数の点検結果情報を予め記憶するものであり、
前記点検情報提供手段は、前記点検情報記憶手段により予め記憶された複数の点検結果を提供し得るものであることを特徴とする請求項２に記載のサーバ。
【請求項４】
前記点検情報記憶手段は、前記複数の点検結果情報と、前記複数の点検結果情報を評価するための点検結果評価基準情報と、を関連付けて記憶するものであり、
前記端末装置が備える点検結果提供手段により提供され、前記点検結果情報受取手段により受け取った点検結果情報と、前記点検結果評価基準情報と、に基づいて、前記点検結果情報の評価情報を決定する点検結果評価手段を備えることを特徴とする請求項２又は３に記載のサーバ。
【請求項５】
前記点検情報記憶手段は、前記複数の点検情報と、前記複数の点検情報に含まれ、点検作業が実施する日付を示す点検日情報と、を関連付けて記憶するものであり、
前記点検情報提供手段は、前記点検日情報に基づいて前記点検情報記憶手段により記憶される複数の点検情報を提供し得るものであることを特徴とする請求項２から４の何れかに記載のサーバ。
【請求項６】
画像が表示される表示部と、前記サーバにおける点検情報提供手段から提供された複数の点検情報を受け取る点検情報受取手段と、を備えた端末装置であって、
前記端末装置は、前記点検情報受取手段により受け取った複数の点検情報に基づいて前記表示部に複数の点検情報画像の表示を行う点検情報画像表示手段と、
前記点検情報画像表示手段により前記表示部に表示された複数の点検情報画像に応じて点検結果情報が入力される点検結果情報入力手段と、
前記点検結果情報入力手段により入力された点検結果情報を記憶する点検結果情報記憶手段と、
前記点検結果情報記憶手段により記憶された点検結果情報を前記サーバに提供する点検結果情報提供手段と、を備えることを特徴とする端末装置。
【請求項７】
請求項６に記載の端末装置は、前記サーバと通信回線を通じて接続可能であり、
前記点検結果提供手段は、前記点検結果情報記憶手段により記憶された点検結果情報を、前記通信回線を通じて前記サーバに提供することを特徴とする端末装置。
【請求項８】
前記請求項６又は７に記載の端末装置は、持運び可能な携帯端末装置であることを特徴とする端末装置。
【請求項９】
前記点検結果情報入力手段は、当該端末装置の表示部に表示された複数の点検情報画像のなから一の点検情報画像を選択し、当該表示部に表示された一の点検情報画像に触接することにより点検結果の入力が行われることを特徴とする請求項６から８の何れかに記載の端末装置。
【請求項１０】
請求項６から９の何れかに記載の端末装置は、画像を撮像し得る撮像手段を備え、
前記点検結果情報記憶手段は、前記点検結果情報入力手段により入力された点検結果情報と、前記撮像手段により撮像した画像情報と、を関連付けて記憶するものであり、
前記点検結果情報提供手段は、前記点検結果情報記憶手段により記憶された点検結果情報と、当該点検結果情報に関連付けられた画像情報と、を前記サーバに提供することを特徴とする端末装置。
【請求項１１】
サーバに対して、複数の点検情報を記憶せしめる点検情報記憶ステップと、当該点検情報記憶手段により記憶された複数の点検情報を提供せしめる点検情報提供手段ステップと、を実行させ、
端末装置に対して、画像が表示される表示部と、前記サーバにおける点検情報提供ステップにより提供された複数の点検情報を受け取らせしめる点検情報受取ステップと、を実行させるプログラムを格納しているコンピュータ読み取り可能な記憶媒体であって、
前記端末装置に対して、前記点検情報受取ステップにより受け取った複数の点検情報に基づいて前記表示部に複数の点検情報画像の表示を行わしめる点検情報画像表示ステップと、
前記点検情報画像表示ステップにより前記表示部に表示された複数の点検情報画像に応じて点検結果情報を入力せしめる点検結果情報入力ステップと、
前記点検結果情報入力ステップにより入力された点検結果情報を記憶せしめる点検結果情報記憶ステップと、
前記点検結果情報記憶ステップにより記憶された点検結果情報を前記サーバに提供せしめる点検結果情報提供ステップと、を実行させ、
前記サーバに対して、前記端末装置が備える点検結果情報提供ステップにより提供された点検結果情報を受け取らせしめる点検結果情報受取ステップと、を実行させ、
前記サーバの備える点検情報記憶ステップは、前記点検結果情報受取ステップにより受け取った点検結果情報と、前記点検情報提供ステップにより前記端末装置に提供した複数の点検情報と、を関連付けて記憶せしめるものであることを特徴とするコンピュータ読み取り可能な記憶媒体。
【発明の詳細な説明】
【０００１】
【発明の属する技術分野】
本発明は、点検作業に関する情報を管理する点検管理システム、サーバ、端末装置及び記録媒体に関するものである。
【０００２】
【従来の技術】
従来、工場等で行われる設備点検作業は、点検者が工場内の各々の設備を巡回点検することにより行われ、その点検結果は、点検者により、直接、点検用紙等に手書きで記入されるか、手書きで記入を行わない場合は、携帯可能なデータ入力装置等を用いてこれに入力することにより点検作業が実施されていた。
【０００３】
また、工場等で設備点検作業を実施することにより収集された点検結果は、点検終了後、工場等を管理する管理場所等に足を運び、設置されている管理コンピュータにメモリカード等を介して直接入力されるものである（例えば、特許文献１参照。）。
【０００４】
【特許文献１】
特開平６−０１１３６５号公報（第３−第４頁、第２図）
【０００５】
【発明が解決しようとする課題】
しかしながら、大規模な工場等では、点検すべき設備が多数存在し、点検を行う点検日も複数日に分散され、その日一日に行うべき点検項目を把握し、抽出することに多くの時間、労力が必要とされ、管理者及び点検者への負担は大きく、ときには、点検が忘れられてしまうおそれも生じ得る。
【０００６】
また、その日一日に行うべき点検コース、点検設備、点検項目等が多数存在する場合には、この多数存在する点検コース、点検設備、点検項目等を把握する必要のある点検者には、ある程度の専門性や熟練度等が求められるため、誰もが点検作業を行うことができるとは言い難く、点検者にそれら全てを把握させることは、点検者の大きな負担となる。
【０００７】
更に、点検が終了した場合の点検結果は、主として、データ管理を行うコンピュータ等に直接入力が行われるものであるが、複数のブロックからなり広大な敷地面積を有する大規模な工場等では、点検作業を実施する点検設備と、点検データを管理する管理コンピュータ等が設置されている管理場所との距離が離れているため、点検設備と管理場所との間を移動することに多くの時間や作業労力が費やされるおそれがある。
【０００８】
更にまた、この点検結果が多数存在する場合には、入力の際に、多くの時間、労力等が費やされるおそれがあり、また、入力が行われる際に点検結果の入力漏れ等が生じる恐れもある。
【０００９】
本発明は、以上のような問題点に鑑みてなされたものであり、点検スケジュールや点検結果を管理可能で、漏れやミスのない点検作業を行うことが期待できるととともに、誰でも容易に点検作業を行うことが期待できる点検システムを提供することを目的とする。
【００１０】
【課題を解決するための手段】
以上のような目的を達成するために、本発明の点検処理システムは、複数の点検情報を記憶する点検情報記憶手段と、当該点検情報記憶手段により記憶された複数の点検情報を提供する点検情報提供手段と、を備えたサーバと、画像が表示される表示部と、前記サーバにおける点検情報提供手段から提供された複数の点検情報を受け取る点検情報受取手段と、を備えた端末装置と、から構成され、前記端末装置は、前記点検情報受取手段により受け取った複数の点検情報に基づいて前記表示部に複数の点検情報画像の表示を行う点検情報画像表示手段と、前記点検情報画像表示手段により前記表示部に表示された複数の点検情報画像に応じて点検結果情報が入力される点検結果情報入力手段と、前記点検結果情報入力手段により入力された点検結果情報を記憶する点検結果情報記憶手段と、前記点検結果情報記憶手段により記憶された点検結果情報を前記サーバに提供する点検結果情報提供手段と、を備え、前記サーバは、前記端末装置が備える点検結果情報提供手段により提供された点検結果情報を受け取る点検結果情報受取手段と、を備え、前記サーバの備える点検情報記憶手段は、前記点検結果情報受取手段により受け取った点検結果情報と、前記点検情報提供手段により前記端末装置に提供した複数の点検情報と、を関連付けて記憶することを特徴とする。
【００１１】
より具体的には、本発明は、以下のようなものを提供する。
【００１２】
（１）  複数の点検情報を記憶する点検情報記憶手段と、当該点検情報記憶手段により記憶された複数の点検情報を提供する点検情報提供手段と、を備えたサーバと、画像が表示される表示部と、前記サーバにおける点検情報提供手段から提供された複数の点検情報を受け取る点検情報受取手段と、を備えた端末装置と、からなる点検システムであって、前記端末装置は、前記点検情報受取手段により受け取った複数の点検情報に基づいて前記表示部に複数の点検情報画像の表示を行う点検情報画像表示手段と、前記点検情報画像表示手段により前記表示部に表示された複数の点検情報画像に応じて点検結果情報が入力される点検結果情報入力手段と、前記点検結果情報入力手段により入力された点検結果情報を記憶する点検結果情報記憶手段と、前記点検結果情報記憶手段により記憶された点検結果情報を前記サーバに提供する点検結果情報提供手段と、を備え、前記サーバは、前記端末装置が備える点検結果情報提供手段により提供された点検結果情報を受け取る点検結果情報受取手段と、を備え、前記サーバの備える点検情報記憶手段は、前記点検結果情報受取手段により受け取った点検結果情報と、前記点検情報提供手段により前記端末装置に提供した複数の点検情報と、を関連付けて記憶することを特徴とする点検システム。
【００１３】
（１）の発明によれば、点検システムは、サーバに記憶されている点検作業に関する情報を、端末装置に提供し、記憶させるので、点検実施者は、この端末装置を携帯しながら点検作業を行ことが可能となる。また、点検のチェック作業が、そのまま点検結果の入力作業となるので、点検作業が簡便となる。
【００１４】
また、各種の点検情報、例えば、点検順路を示す「点検コース」、点検作業の対象となる「点検設備」、その設備における点検作業の具体的内容を示す「点検項目」等、が関連付けて記憶されるものであるため、あるコースで行う複数の点検設備、その点検設備で行うべき点検項目等、点検作業に関する各種の情報を管理することが容易となる。
【００１５】
また、本発明は以下の発明を含むものでもある。
【００１６】
（１）に記載の点検システムは、前記サーバと、前記端末装置と、が通信回線を通じて接続可能なものであることを特徴とする点検システム。
【００１７】
この発明によれば、通信回線を通じて、点検情報、点検結果の受け渡しが可能となり、複数のブロックからなり広大な敷地面積を有する大規模な工場等、点検場所の規模か大きい場合であっても、点検結果の入力の際に負担となっていた移動、結果の集計等の労力を軽減し、点検作業の実施、結果の入力を簡便に行うことができる。
【００１８】
更に、本発明は以下の発明をも含むものである。
【００１９】
前記サーバが備えた点検情報提供手段は、前記点検情報記憶手段により記憶された複数の点検情報を予め一括に提供するものであり、前記端末装置が備えた点検情報受取手段は、前記サーバにおける点検情報提供手段から提供された複数の点検情報を予め一括に受け取ることを特徴とする（１）記載の点検システム。
【００２０】
この発明によれば、サーバは、点検作業を行う前に、実施しようとする点検作業に必要な情報を一括して送信し、端末装置はこの情報を一括して受け取ることとなるので、電波状態が悪い場所での点検作業でも、必要な情報は端末装置に記憶されているので、通信回線を通じて情報のやり取りを行う場合であっても、障害なく、必要な情報を読み出し、点検作業を行うことができる。
【００２１】
（２）  複数の点検情報を記憶する点検情報記憶手段と、当該点検情報記憶手段により記憶された複数の点検情報を提供する点検情報提供手段と、を備えたサーバであって、前記端末装置が備える点検結果提供手段により提供された点検結果情報を受け取る点検結果情報受取手段と、前記サーバの備える点検情報記憶手段は、前記点検結果情報受取手段により受け取った点検結果情報と、前記点検情報提供手段により前記端末装置に提供した複数の点検情報と、を関連付けて記憶することを特徴とするサーバ。
【００２２】
（２）の発明によれば、サーバは、サーバに記憶されている点検作業に関する情報を、端末装置に提供し、記憶させるので、点検実施者は、この端末装置を携帯しながら点検作業を行ことが可能となる。また、点検のチェック作業が、そのまま点検結果の入力作業となるので、点検作業が簡便となる。
【００２３】
また、各種の点検情報、例えば、点検順路を示す「点検コース」、点検作業の対象となる「点検設備」、その設備における点検作業の具体的内容を示す「点検項目」等、が関連付けて記憶されるものであるため、あるコースで行う複数の点検設備、その点検設備で行うべき点検項目等、点検作業に関する各種の情報を管理することが容易となる。
【００２４】
また、本発明は以下の発明を含むものでもある。
【００２５】
端末装置と通信可能に接続され、複数の点検情報を記憶する点検情報記憶手段と、当該点検情報記憶手段により記憶された複数の点検情報を前記端末装置に送信する点検情報送信手段と、を備えたサーバであって、前記端末装置が備える点検結果送信手段により送信された点検結果情報を受信する点検結果受信手段と、前記サーバの備える点検情報記憶手段は、前記点検結果情報受信手段により受信した点検結果情報と、前記点検情報提供手段により前記端末装置に提供した複数の点検情報と、を関連付けて記憶することを特徴とするサーバ。
【００２６】
この発明によれば、通信回線を通じて、点検情報、点検結果の受け渡しが可能となり、複数のブロックからなり広大な敷地面積を有する大規模な工場等、点検場所の規模が大きい場合であっても、点検結果の入力の際に負担となっていた移動、結果の集計等の労力を軽減し、点検作業の実施、結果の入力を簡便に行うことができる。
【００２７】
（３）  前記点検情報記憶手段は、前記複数の点検情報に含まれ、当該複数の点検情報に関連付けられた、複数の点検結果情報を予め記憶するものであり、前記点検情報提供手段は、前記点検情報記憶手段により予め記憶された複数の点検結果を提供し得るものであることを特徴とする（２）に記載のサーバ。
【００２８】
（３）の発明によれば、各種の点検情報、例えば、点検順路を示す「点検コース」、点検作業の対象となる「点検設備」、その設備における点検作業の具体的内容を示す「点検項目」等、あるコースで行う複数の点検設備、その点検設備で行うべき点検項目等、点検作業に関する各種の情報を管理することが容易となる。
【００２９】
また、上述した点検情報に、その「点検項目」に対して点検作業を行った場合に想定される複数の「点検結果」、が関連付けて記憶されるものであるため、点検作業を行う点検実施者に、点検結果の入力を、具体的な数値入力、文字入力等で行わせることなく、端末装置の表示画面上に表示されている複数の点検結果の中から、該当する点検結果を選択入力させることにより点検結果の入力を行うことが可能となる。
【００３０】
尚、本発明は、サーバに関するものであるが、点検システム、端末装置、記憶媒体等、他のカテゴリーの発明に対して本発明を適応することもできる。
【００３１】
（４）  前記点検情報記憶手段は、前記複数の点検結果情報と、前記複数の点検結果情報を評価するための点検結果評価基準情報と、を関連付けて記憶するものであり、前記端末装置が備える点検結果提供手段により提供され、前記点検結果情報受取手段により受け取った点検結果情報と、前記点検結果評価基準情報と、に基づいて、前記点検結果情報の評価情報を決定する点検結果評価手段を備えることを特徴とする（２）又は（３）に記載のサーバ。
【００３２】
（４）の発明によれば、点検作業を実施することにより得られる点検結果に評価基準を予め割り当てるので、得られた点検結果から点検作業を実施した点検設備の安全度、損傷度、耐久度等の設備状態を簡便に把握することが可能となる。
【００３３】
尚、本発明は、サーバに関するものであるが、点検システム、端末装置、記憶媒体等、他のカテゴリーの発明に対して本発明を適応することもできる。
【００３４】
（５）  前記点検情報記憶手段は、前記複数の点検情報と、前記複数の点検情報に含まれ、点検作業が実施する日付を示す点検日情報と、を関連付けて記憶するものであり、前記点検情報提供手段は、前記点検日情報に基づいて前記点検情報記憶手段により記憶される複数の点検情報を提供し得るものであることを特徴とする（２）から（４）の何れかに記載のサーバ。
【００３５】
（５）の発明によれば、各種の点検情報、例えば、点検順路を示す「点検コース」、点検作業の対象となる「点検設備」、その設備における点検作業の具体的内容を示す「点検項目」、その「点検項目」に対して点検作業を行った場合に想定される複数の「点検結果」等、あるコースで行う複数の点検設備、その点検設備で行うべき点検項目等、点検作業に関する各種の情報を管理することが容易となる。
【００３６】
また、上述した点検情報に、上述した点検情報に基づく点検作業を実施する日付を示す「点検日」が関連付けて記憶されるものであるため、日付ごとに点検作業内容を管理することができる。また、サーバに週、月、年スケジュールが記憶されており、定期点検、不定期点検に限らず、サーバはその日一日行うべき点検作業スケジュールを選択して端末装置に提供することができ、例えば毎週所定の日に行うことが決まっているような点検意識の高い定期点検に限らず、例えば月に一度、年に一度点検を行えばいいような点検意識が低くなりがちな不定期点検であっても、点検漏れを回避することが期待できる。
【００３７】
尚、本発明は、サーバに関するものであるが、点検システム、端末装置、記憶媒体等、他のカテゴリーの発明に対して本発明を適応することもできる。
【００３８】
（６）  画像が表示される表示部と、前記サーバにおける点検情報提供手段から提供された複数の点検情報を受け取る点検情報受取手段と、を備えた端末装置であって、前記端末装置は、前記点検情報受取手段により受け取った複数の点検情報に基づいて前記表示部に複数の点検情報画像の表示を行う点検情報画像表示手段と、前記点検情報画像表示手段により前記表示部に表示された複数の点検情報画像に応じて点検結果情報が入力される点検結果情報入力手段と、前記点検結果情報入力手段により入力された点検結果情報を記憶する点検結果情報記憶手段と、前記点検結果情報記憶手段により記憶された点検結果情報を前記サーバに提供する点検結果情報提供手段と、を備えることを特徴とする端末装置。
【００３９】
（６）の発明によれば、サーバに記憶されている点検作業に関する情報を、端末装置に提供し、記憶させるので、点検実施者は、この端末装置を携帯しながら点検作業を行ことが可能となる。また、点検のチェック作業が、そのまま点検結果の入力作業となるので、点検作業が簡便となる。
【００４０】
また、サーバに記憶され、管理されている各種の点検情報、例えば、点検順路を示す「点検コース」、点検作業の対象となる「点検設備」、その設備における点検作業の具体的内容を示す「点検項目」等、を受け取るため、あるコースで行う複数の点検設備、その点検設備で行うべき点検項目等、を容易に把握することが可能となり、点検実施者の負担を軽減することが期待できる。
【００４１】
（７）  （６）に記載の端末装置は、前記サーバと通信回線を通じて接続可能であり、前記点検結果提供手段は、前記点検結果情報記憶手段により記憶された点検結果情報を、前記通信回線を通じて前記サーバに提供することを特徴とする端末装置。
【００４２】
（７）の発明によれば、通信回線を通じて、点検情報、点検結果の受け渡しが可能となり、複数のブロックからなり広大な敷地面積を有する大規模な工場等、点検場所の規模が大きい場合であっても、点検結果の入力の際に負担となっていた移動、結果の集計等の労力を軽減し、点検作業の実施、結果の入力を簡便に行うことができる。
【００４３】
また、本発明は以下の発明をも含むものである。
【００４４】
前記点検結果提供手段は、前記点検結果情報入力手段に基づいて点検結果の入力が行われる度に、当該点検結果を前記サーバに提供することを特徴とする（６）記載の端末装置。
【００４５】
この発明によれば、例えば、ひとつの点検項目についての点検結果を入力したときに、または、ひとつの点検設備について点検が終了したときに、または、ひとつの点検コースについて点検が終了したときに、というように、点検作業中にその都度、サーバに点検結果を送信することができ、点検作業終了後に送信する場合と比較して、いち早く点検結果を入力することができ、サーバ側でこの点検結果を参照することができる。
【００４６】
更に、本発明は以下の発明を含むものである。
【００４７】
通信状態を判断する通信状態判定手段を備え、前記通信状態判定手段により、通信状態が良好であると判定された場合には、前記点検結果提供手段は、前記点検結果情報記憶手段により記憶された点検結果情報を、前記通信回線を通じて前記サーバに提供することを特徴とする（６）に記載の端末装置。
【００４８】
この発明によれば、電波状況の悪い環境では、サーバへデータの提供を行わず、情報を累積的に記憶し、電波状況の良好な場合に確実に送信処理を行うこととなるので、送信が失敗することによる点検結果選択入力情報のサーバへの未入力を防ぐことが期待できる。
【００４９】
更にまた、本発明は以下の発明を含むものである。
【００５０】
前記点検結果提供手段は、前記点検情報に含まれ、点検結果情報を送信する時間を示す送信時間情報に基づいて、前記点検結果情報記憶手段により記憶された点検結果情報を、前記通信回線を通じて前記サーバに提供することを特徴とする（６）に記載の端末装置。
【００５１】
この発明によれば、送信が失敗することによる点検結果選択入力情報のサーバへの未入力を防ぐことが期待できる。
【００５２】
また、点検作業が行われ、点検結果選択入力情報が入力されるたびに送信することとなるので、点検と時間の開きなく入力が行われる、サーバを操作するユーザは、点検設備の状態を時間の開きなく確認することができ、また、後述するカメラ４８により点検設備の画像情報等を送信すると、より一層、設備の状態を時間の開きなく確認することが期待でき、異常等が発生している場合には、迅速な対応をとることが期待できる。
【００５３】
更に、上述した効果に加えて、送信する場所、時間が決定されており、ある所定の時間になった場合には必ず送信処理が行われることとなり、送信時間に送信があったか否かにより、点検実施者のトラブルや、怠慢等、点検作業を行う点検実施者の点検作業を管理することが期待できる。
【００５４】
（８）  （６）又は（７）に記載の端末装置は、持運び可能な携帯端末装置であることを特徴とする端末装置。
【００５５】
（８）の発明によれば、点検作業を実施する場所を問わず、何処でも、点検作業に関する情報を読み出すことができ、また、点検結果を入力することができる。更に、通信回線を通じて、点検情報、点検結果の受け渡しが可能となり、離れている場所で点検作業を行う場合であっても、サーバへの点検結果の入力を簡便に行うことが可能となる。
【００５６】
（９）  前記点検結果情報入力手段は、当該端末装置の表示部に表示された複数の点検情報画像のなから一の点検情報画像を選択し、当該表示部に表示された一の点検情報画像に触接することにより点検結果の入力が行われることを特徴とする（６）から（８）の何れかに記載の端末装置。
【００５７】
（９）の発明によれば、点検作業を行う点検者は、点検結果の入力を、具体的な数値入力、文字入力等で行う必要がなく、端末装置の表示画面上に表示されている複数の点検結果の中から、該当する点検結果を選択するだけで行うことができ、かつ、その入力を該当する点検結果が表示されている画像に触れるだけで行うことができる。このため、点検結果の入力に要する時間を削減し、入力の煩わしさを解消することが期待でき、点検作業効率を高めることが期待できる。
【００５８】
また、前記端末装置の表示部に表示される複数の点検情報画像は、質問形式の文章を示す文字画像で表示されるものであり、かつ、前記端末装置の表示部に表示される複数の点検結果情報画像は、前記質問形式の文章に応答する文字画像で表示されるものであるように構成する場合には、点検者は、例えば、表示画面に、「温度は２０℃〜２５℃ですか？」という点検情報画像が表示され、それに応答する点検結果画像として表示画面に表示される「ＯＫ」又は「ＮＧ」のいずれかを選択するというように、点検作業が対話式で進められ、基本的に「ＯＫ」又は「ＮＧ」のいずれかの選択入力を行うことで点検作業を行うことができ、点検作業を行う設備等の専門知識に乏しい者であっても、点検作業を容易に行うことが期待できる。
【００５９】
（１０）  （６）から（９）の何れかに記載の端末装置は、画像を撮像し得る撮像手段を備え、前記点検結果情報記憶手段は、前記点検結果情報入力手段により入力された点検結果情報と、前記撮像手段により撮像した画像情報と、を関連付けて記憶するものであり、前記点検結果情報提供手段は、前記点検結果情報記憶手段により記憶された点検結果情報と、当該点検結果情報に関連付けられた画像情報と、を前記サーバに提供することを特徴とする端末装置。
【００６０】
（１０）の発明によれば、点検作業を行う際に、点検作業を行う設備等の画像を撮像することができ、撮像した設備等の画像データをサーバに提供することができる。これにより、点検設備に異常があったときに、異常がある箇所を画像としてサーバに提供することができるので、異常の原因が一見して判別でき、点検結果がより確実なものとなることが期待できる。また、異常があった設備を早期に、より確実に、修理、調整を行うことが期待できる。
【００６１】
（１１）  サーバに対して、複数の点検情報を記憶せしめる点検情報記憶ステップと、当該点検情報記憶手段により記憶された複数の点検情報を提供せしめる点検情報提供手段ステップと、を実行させ、端末装置に対して、画像が表示される表示部と、前記サーバにおける点検情報提供ステップにより提供された複数の点検情報を受け取らせしめる点検情報受取ステップと、を実行させるプログラムを格納しているコンピュータ読み取り可能な記憶媒体であって、前記端末装置に対して、前記点検情報受取ステップにより受け取った複数の点検情報に基づいて前記表示部に複数の点検情報画像の表示を行わしめる点検情報画像表示ステップと、前記点検情報画像表示ステップにより前記表示部に表示された複数の点検情報画像に応じて点検結果情報を入力せしめる点検結果情報入力ステップと、前記点検結果情報入力ステップにより入力された点検結果情報を記憶せしめる点検結果情報記憶ステップと、前記点検結果情報記憶ステップにより記憶された点検結果情報を前記サーバに提供せしめる点検結果情報提供ステップと、を実行させ、前記サーバに対して、前記端末装置が備える点検結果情報提供ステップにより提供された点検結果情報を受け取らせしめる点検結果情報受取ステップと、を実行させ、前記サーバの備える点検情報記憶ステップは、前記点検結果情報受取ステップにより受け取った点検結果情報と、前記点検情報提供ステップにより前記端末装置に提供した複数の点検情報と、を関連付けて記憶せしめるものであることを特徴とするコンピュータ読み取り可能な記憶媒体。
【００６２】
（１１）の発明によれば、サーバに記憶されている点検作業に関する情報を、端末装置に提供し、記憶させるので、点検実施者は、この端末装置を携帯しながら点検作業を行ことが可能となる。また、点検のチェック作業が、そのまま点検結果の入力作業となるので、点検作業が簡便となる。
【００６３】
また、各種の点検情報、例えば、点検順路を示す「点検コース」、点検作業の対象となる「点検設備」、その設備における点検作業の具体的内容を示す「点検項目」等、が関連付けて記憶されるものであるため、あるコースで行う複数の点検設備、その点検設備で行うべき点検項目等、点検作業に関する各種の情報を管理することが容易となる。
【００６４】
更にまた、この記憶媒体は、プログラムを、ハードディスク装置、ＣＤ−ＲＯＭ及びＤＶＤ等の記憶媒体に記憶されていればよい。また、これらのプログラムは、予め記憶されているものでなくとも、電源投入後に、メモリ上にプログラムを記憶する（インターネット上からのダウンロードを含むロード処理を行う）ものでもよい。更にまた、プログラムの各々が別々の記憶媒体に記憶されていてもよい。
【００６５】
［用語の定義等］
「点検情報」とは、点検作業を行う日を示す「点検日」、点検作業の名称等を示す「点検名」、点検作業を行う点検者を示す「点検者」、点検作業を行う巡回コースを示す「点検コース」、点検コースに含まれる各設備を示す「点検設備」、各設備において点検すべき内容を示す「点検項目」、点検項目の内容に応じた点検結果を示す「点検結果」等、点検作業に関する各種の情報を含む概念である。また、「点検画像」は、点検者に選択入力を行わせるべく表示される上述した各種の「点検情報」を示す文字画像等を含み、静止画像と、動画像と、は問わない。
【００６６】
「通信回線」とは、上述した「点検情報」、「点検結果」等を通信可能とする回線であり、「有線」、「無線」は問わない。
【００６７】
【発明の実施の形態】
以下に、本発明の好適な実施形態について図面に基づいて説明する。
【００６８】
［システムの構成］
図１は本発明に係る点検システム１０の構成を示す概略図である。
【００６９】
図１に示す点検システム１０は、サーバコンピュータ２１（以下サーバと称す）と、サーバ２１に接続されたデータ供給装置３１と、端末装置４１Ａとから構成されている。
【００７０】
サーバ２１は、工場等に設置されている設備の点検作業に関する情報の制御を行うものである。
【００７１】
また、端末装置４１は、点検作業を実施する際に携帯され、点検作業を実施した結果の入力が行われるものである。
【００７２】
更に、データ供給装置３１はサーバ２１にケーブル等を介して接続されており、このデータ供給装置３１を介して、サーバ２１と端末装置４１との間で点検作業に関する情報の送受信が行われる。
【００７３】
例えば、端末装置４１をデータ供給装置３１の所定の位置に取り付けることにより、サーバ２１と端末装置４１との間で各種の点検情報の送受信が、直接行われることとなる。
【００７４】
尚、本実施形態における点検システム１０は、上述した如く、サーバ２１と端末装置４１との間では、サーバ２１とケーブルにより接続されたデータ供給装置３１を介して直接に情報の送受信が行われることとしたが、本発明はこれに限らず、データ供給装置３１以外にもメモリカード等の記憶媒体を介して情報の送受信を行うこととしてもよい。また、直接に情報の送受信が行われるに限らず、ネットワークを介して情報の送受信が行われることとしてもよい。
【００７５】
以下、ネットワークにより構成される点検システム１０の構成の概略について説明する。
【００７６】
図２に示す点検システム１０において、インターネット、専用回線、プロバイダ、音声通信局、及び、携帯電話機用基地局、衛星通信局等からなるネットワーク５１には、工場等に設置されている設備の点検作業に関する情報の制御を行うサーバ２１が接続可能となっており、ネットワーク５１を介して通信可能となっている。
【００７７】
尚、図２では、ネットワーク５１に接続されているサーバをサーバ２１のみとして示したが、本発明においてはこれに限らず、後述するサーバ２１の機能を分割させて複数のサーバにより構成してもよい。また、このようなサーバ２１を複数設置し、それらのサーバ２１を一括管理する外部サーバを備えた構成としてもよく、簡便である。
【００７８】
また、ネットワーク５１には、複数の端末装置４１Ａ、４１Ｂ、４１Ｃ、．．．．．．、が接続可能となっており、この複数の端末装置４１Ａ、４１Ｂ、４１Ｃ、．．．．．．、からサーバ２１にアクセス可能となっている。
【００７９】
尚、本実施形態における各端末装置４１Ａ、４１Ｂ、４１Ｃ、．．．．．．、は、ＰＤＡ（Ｐｅｒｓｏｎａｌ  Ｄｉｇｉｔａｌ  Ａｓｓｉｓｔａｎｔ）４１Ａ、ノート型パーソナルコンピュータ４１Ｂ、携帯電話４１Ｃを用いているが、本発明はこれに限らず、利用者がネットワーク５１にアクセス可能な端末装置であればよく、携帯性を有する端末装置であれば好ましい。この携帯性を有する端末装置とは、例えば、ＰＤＡ４１Ａ、ノート型パーソナルコンピュータ４１Ｂ、携帯電話４１Ｃの他にも、モバイルパーソナルコンピュータ等の通信可能な携帯用端末装置を含む。
【００８０】
また、アクセスの方法としては、各端末装置４１Ａ、４１Ｂ、４１Ｃ、．．．．．．、とインターネット等のネットワーク５１（プロバイダのホストコンピュータ）との間は、ＴＤＭＡ（Ｔｉｍｅ  Ｄｉｖｉｓｉｏｎ  Ｍｕｌｔｉｐｌｅ  Ａｃｃｅｓｓ）方式や、ＣＤＭＡ（Ｃｏｄｅ  Ｄｉｖｉｓｉｏｎ  Ｍｕｌｔｉｐｌｅ  Ａｃｃｅｓｓ）方式等、デジタル方式の電波を用いて音声データを供給するものが主流となっており、これらの電波は、各地に点在する基地局を介してサーバ２１に接続される。
【００８１】
以下、本点検システム１０においては、サーバ２１と端末装置４１Ａとの間で各種情報の提供、取得を行うこととして説明する。
【００８２】
尚、本実施形態においては、端末装置とサーバ２１との各種情報の提供、取得は、ネットワーク５１を介して通信可能となるように構成することにより行われるが、本発明では、通信可能であればよく、有線方式、無線方式を問わない。また、上述した図１に示す如く、ネットワーク５１を介さず、サーバ２１と端末装置４１Ａ、４１Ｂ、４１Ｃ、．．．．．．、とで、メモリカード等により直接情報の提供、取得を行うこととしてもよい。
【００８３】
更には、本実施形態においては、サーバ２１とネットワーク５１と端末装置４１Ａ、４１Ｂ、．．．．．．、とで構成したが、本発明はこれに限らず、他の装置を備えるように構成してもよく、例えば、入力が行われた情報をサーバ２１に対して提供するための入力装置を備えることとしてもよい。この入力装置は、デジタル変換した点検情報としてサーバ２１に提供するものであっても、アナログ信号のまま、サーバ２１に提供するものであってもよい。このような入力装置としては、パーソナルコンピュータが該当する。
【００８４】
［サーバの構成］
本発明の実施形態であるサーバの制御回路を示すブロック図を図３に示す。
【００８５】
図３に示すように、サーバ２１においては、データバスＢＵＳにＣＰＵ２２、メモリ２３、入力部２４、通信インターフェイス（以下、通信Ｉ／Ｆと称する）２５、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）等で構成された記憶部２６、表示部２７、及び接続部２８が接続されている。
【００８６】
「ＣＰＵ２２」は、請求項中の、「点検情報受取手段」、「点検情報画像表示手段」、「点検結果情報入力手段」、「点検結果情報記憶手段」、の一部を構成するものに相当する。
【００８７】
「メモリ２３」は、請求項中の、「点検情報記憶手段」、「点検情報提供手段」、「点検結果情報受取手段」、「点検結果評価手段」、の一部を構成するものに相当する。
【００８８】
「記憶部２６」は、請求項中の、「点検情報記憶手段」、「点検情報提供手段」、「点検結果情報受取手段」、「点検結果評価手段」、の一部を構成するものに相当する。
【００８９】
「通信Ｉ／Ｆ２５」は、請求項中の、「点検情報提供手段」、「点検結果情報受取手段」、の一部を構成するものに相当する。
【００９０】
「接続部２８」は、請求項中の、「点検情報提供手段」、「点検結果情報受取手段」、の一部を構成するものに相当する。
【００９１】
サーバ２１の記憶部２６には、図１、図２に示す点検システム１０を動作させるためのプログラム、例えば、後述する、点検情報の作成、編集、管理を行うためのプログラム、ネットワーク５１を介して端末装置４１Ａとの通信を行うためのプログラム等、種々の処理を実行するためのプログラムが格納されている。
【００９２】
ＣＰＵ２２は、記憶部２６に格納されているこれらのプログラムに従って種々の処理を実行するようになされており、このプログラム自体、処理を実行することにより生成された変数、データ等をメモリ２３に一時的に記録し、当該動作に応じて各回路部を制御する。詳しくは後述するが、制御プログラムや記憶部２６に格納されている種々のコンテンツやそのプログラムに従って種々の処理を実行するようになされている。すなわち、ＣＰＵ２２は、通信Ｉ／Ｆ２５に接続された回線、ネットワーク５１を介して、端末装置４１Ａと種々の点検情報の受け渡しを行う。詳しくは後述する。
【００９３】
また、サーバ２１から端末装置４１Ａへ提供する情報は、「点検名」、「点検コース」、「点検設備」、「点検項目」、「点検結果」等の点検作業を行うための各種の点検情報であり、これらの点検情報は、端末装置４１Ａに記憶される。詳しくは、後述する。
【００９４】
一方、サーバ２１が端末装置から受け取る情報は、上述した各種の点検情報に応じて選択入力された、「点検結果」等の各種の選択入力情報である。詳しくは、後述する。
【００９５】
また、ＣＰＵ２２は、上述した端末装置４１Ａから受け取った「点検結果」等の選択入力情報に基づいて、各種の処理を行うこととなる。詳しくは、後述する。
【００９６】
また、本実施形態において記憶部２６に記憶されているプログラムは、具体的には、下記のようなものを含む。
【００９７】
（Ａ）  「複数の点検情報を記憶せしめる点検情報記憶ステップ」をサーバ２１に実行させるプログラム。
【００９８】
（Ｂ）  「点検情報記憶手段により記憶された複数の点検情報を提供せしめる点検情報提供手段ステップ」をサーバ２１に実行させるプログラム。
【００９９】
（Ｃ）  「サーバにおける点検情報提供ステップにより提供された複数の点検情報を受け取らせしめる点検情報受取ステップ」を端末装置である端末装置４１Ａに実行させるプログラム。
【０１００】
（Ｄ）  「点検情報受取ステップにより受け取った複数の点検情報に基づいて前記表示部に複数の点検情報画像の表示を行わしめる点検情報画像表示ステップ」を端末装置である端末装置４１Ａに実行させるプログラム。
【０１０１】
（Ｅ）  「点検情報画像表示ステップにより前記表示部に表示された複数の点検情報画像に応じて点検結果情報を入力せしめる点検結果情報入力ステップ」を端末装置である端末装置４１Ａに実行させるプログラム。
【０１０２】
（Ｆ）  「点検結果情報入力ステップにより入力された点検結果情報を記憶せしめる点検結果情報記憶ステップ」を端末装置である端末装置４１Ａに実行させるプログラム。
【０１０３】
（Ｇ）  「点検結果情報記憶ステップにより記憶された点検結果情報を前記サーバに提供せしめる点検結果情報提供ステップ」を端末装置である端末装置４１Ａに実行させるプログラム。
【０１０４】
（Ｈ）  「端末装置が備える点検結果情報提供ステップにより提供された点検結果情報を受け取らせしめる点検結果情報受取ステップ」をサーバ２１に実行させるプログラム。
【０１０５】
また、上記（Ａ）のプログラムは、「前記点検結果情報受取ステップにより受け取った点検結果情報と、前記点検情報提供ステップにより前記端末装置に提供した複数の点検情報と、を関連付けて記憶せしめるものであることを特徴とする」。
【０１０６】
これらのプラグラムを実行させることにより、サーバに記憶されている点検作業に関する情報を、端末装置に提供し、記憶させるので、点検実施者は、この端末装置を携帯しながら点検作業を行ことが可能となる。また、点検のチェック作業が、そのまま点検結果の入力作業となるので、点検作業が簡便となる。
【０１０７】
また、各種の点検情報、例えば、点検順路を示す「点検コース」、点検作業の対象となる「点検設備」、その設備における点検作業の具体的内容を示す「点検項目」等、が関連付けて記憶されるものであるため、あるコースで行う複数の点検設備、その点検設備で行うべき点検項目等、点検作業に関する各種の情報を管理することが容易となる。
【０１０８】
更にまた、この記憶媒体は、プログラムを、ハードディスク装置、ＣＤ−ＲＯＭ及びＤＶＤ等の記憶媒体に記憶されていればよい。また、これらのプログラムは、予め記憶されているものでなくとも、電源投入後に、メモリ上にプログラムを記憶する（インターネット上からのダウンロードを含むロード処理を行う）ものでもよい。更にまた、プログラムの各々が別々の記憶媒体に記憶されていてもよい。
【０１０９】
また、上述したデータバスＢＵＳには、入力部２４が接続されており、各種の入力情報を取得し、その各種入力情報を、データバスＢＵＳを介して、ＣＰＵ２２に供給する機能を有する。
【０１１０】
尚、サーバ２１における点検情報の入力方法は、上述した入力部２４だけではなく、メール、インターネット等、ネットワーク５１を介して入力される点検情報、サーバ２１自身に内蔵されたドライブ等を介して、記憶媒体から供給される点検情報等、各種の方法がある。
【０１１１】
更に、上述したデータバスＢＵＳには、通信Ｉ／Ｆ２５が接続されており、ネットワーク５１に対して通信可能としてなるものであり、点検情報等の各種情報を送受信する機能を有する。
【０１１２】
更にまた、上述したデータバスＢＵＳには、接続部２８が接続されており、図１に示す如くサーバ２１とデータ供給装置３１との接続を行うためのものであり、点検情報等の各種情報を送受信する機能を有する。
【０１１３】
更にまた、上述したデータバスＢＵＳには、表示部２７が接続されており、後述する如く、図１１〜図１５に示すような、端末装置４１Ａに提供する各種の点検情報を作成するための「点検情報作成画面」、端末装置４１Ａから提供された各種の点検情報に基づいて作成した点検結果を一覧表示するための「点検結果一覧表示画面」等、各種の報知を行うための画像等が表示される。
【０１１４】
［サーバの記憶部の構成］
サーバ２１における記憶部２６では、図４〜図１０に示す如く、各種の点検情報データベースが記憶されている。
【０１１５】
図４〜図１０に示す点検名データベースは、後述する如く、サーバ２１の表示部２７に表示される点検情報作成画面１、点検情報作成画面２に基づいて、本点検システムを利用するユーザにより各種の点検情報が入力されることにより作成されるものである。
【０１１６】
尚、本発明における「データベース」とは、データの入力、更新、検索などの手順を提供し、情報の集中管理を実現するものであり、あるテーブルのあるレコードと、他のテーブルのあるレコードと、を関連づけつつ処理を行うリレーショナルデータベースを含むものである。
【０１１７】
記憶部２６には、図４に示す如く、「点検名データベース」が記憶されている。
【０１１８】
図４は、本発明の一実施形態におけるサーバ２１の備える点検名データベースの記憶内容を概念的に示す説明図である。
【０１１９】
図４に示す点検名データベースは、後述する如く、サーバ２１の表示部２７に表示される点検情報作成画面１、点検情報作成画面２に基づいて、本点検システムを利用するユーザにより点検名に関する情報が入力されることにより作成されるものである。
【０１２０】
この点検名データベースには、入力部２４により入力された「点検名」情報と、この「点検名」情報に割り当てられた「点検コード」とが関連付けられて記憶されている。
【０１２１】
「点検名」は、例えば、「Ａ点検」等の、点検作業の名称を示し、後述する点検作業に関する「点検コース」、「点検設備」等の総称を示すものである。
【０１２２】
また、記憶部２６には、図５に示す如く、「点検コースデータベース」が記憶されている。
【０１２３】
図５は、本発明の一実施形態におけるサーバ２１の備える点検コースデータベースの記憶内容を概念的に示す説明図である。
【０１２４】
図５に示す点検コースデータベースは、後述する如く、サーバ２１の表示部２７に表示される点検情報作成画面１、点検情報作成画面２に基づいて、本点検システムを利用するユーザにより点検コースに関する情報が入力されることにより作成されるものである。
【０１２５】
この点検コースデータベースには、入力部２４により入力された「点検コース」情報と、この「点検コース」情報に割り当てられた「点検コースコード」とが関連付けられて記憶されている。例えば、「点検名」が「Ａ点検」（図４参照）である場合には、「点検名コード」である「Ａ」に関連付けられて、「点検名コード」である「Ａ０１」が記憶される。
【０１２６】
「点検コース」は、例えば、「Ａ工場」等の、点検作業が巡回実施される点検コースを示すものであり、後述する複数の「点検設備」を含むものである。
【０１２７】
更に、記憶部２６には、図６に示す如く、「点検設備データベース」が記憶されている。
【０１２８】
図６は、本発明の一実施形態におけるサーバ２１の備える点検設備データベースの記憶内容を概念的に示す説明図である。
【０１２９】
図６に示す点検設備データベースは、後述する如く、サーバ２１の表示部２７に表示される点検情報作成画面１、点検情報作成画面２に基づいて、本点検システム１０を利用するユーザにより点検設備に関する情報が入力されることにより作成されるものである。
【０１３０】
この点検設備データベースには、入力部２４により入力された「点検設備」情報と、この「点検設備」情報に割り当てられた「点検設備コード」とが関連付けられて記憶されている。
【０１３１】
「点検設備」は、例えば、「Ａ装置」等の、点検コースに含まれ、点検作業が実施される点検設備を示すものであり、図６に示す如く、上述した「点検名」、「点検コース」に関連付けられて、記憶される。例えば、「点検コース」が「Ａ工場」（図５参照）である場合には、「点検コースコード」である「Ａ０１」に関連付けられて、「点検設備コード」である「Ａ０１０１」が記憶される。
【０１３２】
更にまた、記憶部２６には、図７に示す如く、「点検項目データベース」が記憶されている。
【０１３３】
図７は、本発明の一実施形態におけるサーバ２１の備える点検項目データベースの記憶内容を概念的に示す説明図である。
【０１３４】
図７に示す点検項目データベースは、後述する如く、サーバ２１の表示部２７に表示される点検情報作成画面１、点検情報作成画面２に基づいて、本点検システム１０を利用するユーザにより点検項目に関する情報が入力されることにより作成されるものである。
【０１３５】
この点検項目データベースには、入力部２４により入力された「点検項目」情報と、この「点検項目」情報に割り当てられた「点検項目コード」とが関連付けられて記憶されている。
【０１３６】
「点検項目」は、例えば、「温度計は正常範囲か？」等の、上述した点検設備において点検実施者が点検を実施する際に参照する点検項目を示すものであり、図７に示す如く、上述した「点検名」、「点検コース」、「点検設備」に関連付けられて、記憶される。例えば、「点検設備」が「Ａ装置」（図６参照）である場合には、「点検設備コード」である「Ａ０１０１」に関連付けられて、「点検設備コード」である「Ａ０１０１０１」が記憶される。
【０１３７】
更にまた、記憶部２６には、図８に示す如く、「点検結果データベース」が記憶されている。
【０１３８】
図８は、本発明の一実施形態におけるサーバ２１の備える点検結果データベースの記憶内容を概念的に示す説明図である。
【０１３９】
図８に示す点検結果データベースは、後述する如く、サーバ２１の表示部２７に表示される点検情報作成画面１、点検情報作成画面２に基づいて、本点検システム１０を利用するユーザにより点検結果に関する情報が入力されることにより作成されるものである。
【０１４０】
この点検結果データベースには、入力部２４により入力された「点検結果」情報と、この「点検結果」情報に割り当てられた「点検結果コード」と、「点検結果」に応じた点検結果の評価基準を示す「点検ポイント」と、が関連付けられて記憶されている。
【０１４１】
「点検結果」は、例えば、「ＯＫ」、「ＮＧ」、「−１０℃〜０℃」といった詳細情報等の、上述した点検項目に対して点検実施者が点検を実施した際の点検結果を点検実施者に選択入力させるための複数の点検結果を示すものであり、図８に示す如く、上述した「点検名」、「点検コース」、「点検設備」、「点検項目」に関連付けられて、記憶される。例えば、「点検項目」が「温度計は正常範囲か？」（図７参照）である場合には、この「点検項目コード」である「Ａ０１０１０１」に関連付けられて、「点検結果コード」である「Ａ０１０１０１０１」が記憶される。また、「点検ポイント」は、点検設備において或る内容の点検作業を行った結果に基づいて、その点検設備の安全度、耐久度、老朽度等を判定するための基準となるものである。
【０１４２】
更にまた、記憶部２６には、図９に示す如く、「点検実施情報データベース」が記憶されている。
【０１４３】
図９は、本発明の一実施形態におけるサーバ２１の備える点検実施情報データベースの記憶内容を概念的に示す説明図である。
【０１４４】
図９に示す点検実施情報データベースは、後述する如く、サーバ２１の表示部２７に表示される点検情報作成画面１、点検情報作成画面２に基づいて、本点検システム１０を利用するユーザにより、上述した「点検名」、「点検コース」、「点検設備」、「点検項目」、「点検結果」等の各種の点検作業に関する情報、また、点検実施日に関する「点検実施日」情報、「点検結果」に応じた安全度、耐久度、老朽度等の点検結果の評価基準に関する「点検ポイント」が入力されることにより作成されるものである。
【０１４５】
この点検実施情報データベースには、入力部２４により入力された「点検名」、「点検コース」、「点検設備」、「点検項目」、「点検結果」等の各種の点検作業に関する情報と、この各種の点検作業に関する情報に基づいて点検作業が行われる点検実施日時を示す「点検実施日時」情報と、「点検結果」に応じた点検結果の評価基準を示す「点検ポイント」情報が関連付けられて記憶されている。
【０１４６】
この点検結果の評価基準を示す「点検ポイント」は、点検設備において或る内容の点検作業を行った結果に基づいて、その点検設備の安全度、耐久度、老朽度等を判定するための基準となるものである。
【０１４７】
例えば、異常がない場合（「ＯＫ」）は「０」ポイントとし、異常がある場合（「ＮＧ」）は「−１」ポイントとして、その設備ごとの「点検結果」に関連付けられた「点検ポイント」について集計を行い、ある基準値（「−１０」）以下となった場合には、その設備になんらかの異常があると判別するものである。
【０１４８】
これにより、点検作業を実施することにより得られる点検結果に評価基準を予め割り当てるので、得られた点検結果から点検作業を実施した点検設備の安全度、損傷度、耐久度等の設備状態を簡便に把握することが可能となる。また、設備等の状態が悪いと判別した場合には、早急な対処をとることが期待できる。
【０１４９】
また、図９によると、一の「点検コース」には、その点検コースを構成する複数の「点検設備」が含まれ、また、この複数の「点検設備」の一には、この点検設備で行われる点検作業の具体的な内容を示す複数の「点検項目」が含まれ、さらに、この複数の「点検項目」の一には、この点検項目に基づいて点検作業を行った結果を複数示す、複数の「点検結果」が含まれている。
【０１５０】
このように、上述した、「点検実施日時」、「点検名」、「点検コース」、「点検設備」、「点検項目」、「点検結果」、「点検ポイント」といった各種情報は相互に関連付けられて「点検情報データベース」に記憶される。これにより、例えば、点検作業を実施する日時になったと判別された場合には、この点検日時を示す「点検実施日時」情報に関連付けられている、上述した各種の点検情報が読み出されることになる。また、「点検実施日時」情報に限らず、例えば、「点検名」、「点検コース」を参照した場合には、この参照した「点検名」、「点検コース」に関連付けられた各種の点検情報を読み出すこととなる。
【０１５１】
これにより、各種の点検情報、例えば、点検順路を示す「点検コース」、点検作業の対象となる「点検設備」、その設備における点検作業の具体的内容を示す「点検項目」、その「点検項目」に対して点検作業を行った場合に想定される複数の「点検結果」等、あるコースで行う複数の点検設備、その点検設備で行うべき点検項目等、点検作業に関する各種の情報を管理することが容易となる。
【０１５２】
また、上述した如く、各種の点検情報に、点検情報に基づく点検作業を実施する日付を示す「点検日」が関連付けて記憶されるものであるため、日付ごとに点検作業内容を管理することができる。また、サーバに週、月、年スケジュールが記憶されており、定期点検、不定期点検に限らず、サーバはその日一日行うべき点検作業スケジュールを選択して端末装置に提供することができ、例えば毎週所定の日に行うことが決まっているような点検意識の高い定期点検に限らず、例えば月に一度、年に一度点検を行えばいいような点検意識が低くなりがちな不定期点検であっても、点検漏れを回避することが期待できる。
【０１５３】
また、サーバ２１は、提供信号等を受け取ることにより、記憶部２６に記憶されているこの「点検実施情報データベース」を読み出し、この読み出した「点検実施情報データベース」に基づいて点検作業に関する各種情報を端末装置４１Ａに提供するものである。
【０１５４】
尚、本実施形態における図９に示す点検実施情報データベースでは、上述した「点検実施日時」、「点検名」、「点検コース」、「点検設備」、「点検項目」、「点検結果」、「点検ポイント」といった各種情報が相互に関連付けられて記憶されていることとしたが、本発明はこれに限らず、例えば、「点検者」等の他の点検情報も上述した点検情報と関連付けられて記憶されることとしてもよい。
【０１５５】
更にまた、記憶部２６には、図１０に示す如く、「点検結果履歴情報データベース」が記憶されている。
【０１５６】
図１０は、本発明の一実施形態におけるサーバ２１の備える点検結果履歴情報データベースの記憶内容を概念的に示す説明図である。
【０１５７】
この点検結果履歴情報データベースは、端末装置４１Ａから提供された点検作業に関する各種情報に応じて選択入力が行われた点検結果に基づいて生成されるものである。
【０１５８】
この点検結果履歴情報データベースには、「ＩＤ」、「日時」、「点検コース」、「点検設備」、「点検項目」、端末装置４１Ａに提供した複数の点検結果から選択入力された「点検結果」、「点検ポイント」等、各種の情報が関連付けられて記憶されている。
【０１５９】
「ＩＤ」情報は、本点検システム１０を利用して点検作業を実施したユーザである点検実施者を識別するための情報であり、「氏名」、送信先の「アドレス」等（図示せず）の、個人情報と関連付けられている。
【０１６０】
「日時」情報は、サーバ２１が端末装置４１Ａから各種の選択入力が行われた点検結果情報を受け取った時間を示す情報である。
【０１６１】
また上述した選択入力された「点検結果」は、「点検結果画像情報」を含むものである。この点検結果画像とは、端末装置４１Ａに備えられたカメラ４８（図１６参照）により撮像された点検設備等の画像を示すデータを指す。また、この点検結果画像は、静止画像であると、動画像であるとを問わない。
【０１６２】
これらのデータベースを用いることにより、各種の点検情報、例えば、点検順路を示す「点検コース」、点検作業の対象となる「点検設備」、その設備における点検作業の具体的内容を示す「点検項目」等、あるコースで行う複数の点検設備、その点検設備で行うべき点検項目等、点検作業に関する各種の情報を管理することが容易となる。
【０１６３】
また、上述した点検情報に、その「点検項目」に対して点検作業を行った場合に想定される複数の「点検結果」、が関連付けて記憶されるものであるため、点検作業を行う点検実施者に、点検結果の入力を、具体的な数値入力、文字入力等で行わせることなく、端末装置の表示画面上に表示されている複数の点検結果の中から、該当する点検結果を選択入力させることにより点検結果の入力を行うことが可能となる。
【０１６４】
上述した、サーバ２１の記憶部２６に記憶されている各種のデータベースは、図１１から図１５、又は、図１７〜図２５に示す如きアプリケーションにおいて用いられるものである。
【０１６５】
［サーバにおける画像の表示例］
上述した如くサーバ２１のＣＰＵ２２は、記憶部２６に記憶されている点検情報作成プログラムに基づいて画像データを、サーバ２１の表示部２７に供給することにより、表示部２７に図１１〜図１５に示す画像が表示され、この表示された画像に応じて各種アプリケーションを操作することとなる。
【０１６６】
図１１は、本発明の一実施形態におけるサーバ２１の表示部に表示されるスタート画面の概略を示す一例である。
【０１６７】
図１２は、本発明の一実施形態におけるサーバ２１の表示部に表示される点検情報作成画面１の概略を示す一例である。
【０１６８】
図１３は、本発明の一実施形態におけるサーバ２１の表示部に表示される点検情報作成画面２の概略を示す一例である。
【０１６９】
図１２、図１３に示す如く、サーバ２１の表示部２７に表示される点検情報作成画面に従って、本点検システム１０を利用するユーザは各種の点検情報を入力していくことになる。
【０１７０】
点検情報とは、上述した如く、「点検日」、「点検名」、「点検コース」、「点検設備」、「点検項目」、「点検結果」等、点検に関する各種の情報を含むものである。
【０１７１】
図１４は、本発明の一実施形態におけるサーバ２１の表示部に表示される点検情報転送設定画面の概略を示す一例である。
【０１７２】
図１５は、本発明の一実施形態におけるサーバ２１の表示部に表示される点検結果一覧画面の概略を示す一例である。
【０１７３】
最初に、サーバ２１の表示部には、点検情報作成プログラムが起動されることにより、図１１に示すスタート画面が表示される。
【０１７４】
図１１に示す符号１１１１が示す位置には、データ作成ボタンが表示されている。このデータ作成ボタンは、点検内容を作成する場合に入力されるものである。また、このデータ作成ボタンが入力されると、図１２に示す点検情報作成画面１が表示されることとなる。
【０１７５】
また、図１１に示す符号１１１２の位置には、点検準備ボタンが表示されている。この点検準備ボタンは、点検開始前に作成した点検情報を端末装置４１Ａに転送する場合に入力されるものである。また、この点検準備ボタンが入力されると、図１４に示す点検情報転送設定画面が表示されることとなる。
【０１７６】
更に、図１１に示す符号１１１３の位置には、帳票作成ボタンが表示されている。この帳票作成ボタンは、点検結果を閲覧する場合に入力されるものである。また、この帳票作成ボタンが入力されると、図１５に示す点検結果一覧画面が表示されることとなる。
【０１７７】
尚、図１１に示すスタート画面では、ＩＤ入力欄、パスワード入力欄を表示させ、ＩＤ入力、パスワード入力が行われることにより、システム利用者の認証が行われることとしてもよい。これにより、点検情報、点検結果等の各種データの機密性が保たれることとなる。
【０１７８】
図１１に示すスタート画面において、符号１１１１が示すデータ作成ボタンが入力されると、図１２に示す点検情報作成画面１が表示される。
【０１７９】
図１２に示す如く、画面左部の符号１０９１が示す領域では、点検作業の名称を示す「点検名」の入力、編集が行われる。
【０１８０】
また、符号１０９２が示す位置には、新規チェック欄が表示されている。この新規チェック欄は、「点検名」を新規に作成する場合に、入力されるものである。更に、この新規チェック欄が入力されると、符号１０９３が示す「点検名」新規入力欄への入力が有効となり、この「点検名」新規入力欄において新規に作成する「点検名」の入力が行われる。
【０１８１】
一方、符号１０９５が示す位置には、「点検名」表示欄が表示されている。この「点検名」表示欄には、「点検名」データベース（図４参照）に記憶されている「点検名」情報が一覧表示されている。
【０１８２】
符号１０９４が示す位置には、追加・変更チェック欄が表示されている。この追加・変更チェック欄は、「点検名」の追加又は変更を行う場合に、入力されるものである。更に、この追加・変更チェック欄が入力されると、符号１０９５が示す「点検名」表示欄に一覧表示されている複数の「点検名」から一の「点検名」の選択入力が有効となり、この「点検名」表示欄において追加又は変更を行う「点検名」の選択入力が行われる。
【０１８３】
また、画面中央部の符号１０９６が示す領域では、点検を行う工場等で点検者が巡回点検を行うコースを示す「点検コース」の入力、編集が行われる。
【０１８４】
また、符号１０９７が示す位置には、新規チェック欄が表示されている。この新規チェック欄は、「点検コース」を新規に作成する場合に、入力されるものである。更に、この新規チェック欄が入力されると、符号１０９８が示す「点検コース」新規入力欄への入力が有効となり、この「点検コース」新規入力欄において新規に作成する「点検コース」の入力が行われる。
【０１８５】
一方、符号１１００が示す位置には、「点検コース」表示欄が表示されている。この「点検コース」表示欄には、「点検コース」データベース（図５参照）に記憶されている「点検コース」情報が一覧表示されている。
【０１８６】
符号１０９９が示す位置には、追加・変更チェック欄が表示されている。この追加・変更チェック欄は、「点検コース」の追加又は変更を行う場合に、入力されるものである。更に、この追加・変更チェック欄が入力されると、符号１１００が示す「点検コース」表示欄に一覧表示されている複数の「点検コース」から一の「点検コース」の選択入力が有効となり、この「点検コース」表示欄において追加又は変更を行う「点検コース」の選択入力が行われる。
【０１８７】
更に、画面右部の符号１１０１が示す領域では、点検コースに含まれる各設備を示す「点検設備」の入力、編集が行われる。
【０１８８】
また、符号１１０２が示す位置には、新規チェック欄が表示されている。この新規チェック欄は、「点検設備」を新規に作成する場合に、入力されるものである。更に、この新規チェック欄が入力されると、符号１１０３が示す「点検設備」新規入力欄への入力が有効となり、この「点検設備」新規入力欄において新規に作成する「点検設備」の入力が行われる。
【０１８９】
一方、符号１１０５が示す位置には、「点検設備」表示欄が表示されている。この「点検設備」表示欄には、「点検設備」データベース（図６参照）に記憶されている「点検設備」情報が一覧表示されている。
【０１９０】
符号１１０４が示す位置には、追加・変更チェック欄が表示されている。この追加・変更チェック欄は、「点検設備」の追加又は変更を行う場合に、入力されるものである。更に、この追加・変更チェック欄が入力されると、符号１１０５が示す「点検設備」表示欄に一覧表示されている複数の「点検設備」から一の「点検設備」の選択入力が有効となり、この「点検設備」表示欄において追加又は変更を行う「点検設備」の選択入力が行われる。
【０１９１】
上述した如く、「点検名」、「点検コース」、「点検設備」についての入力が行われた状態で、画面右下の符号１１０６に示す位置に表示されている作成開始ボタンの入力が行われると、入力された内容を反映させた点検情報作成画面２が表示されることとなる。
【０１９２】
図１３に示す点検情報作成画面２の左部においては点検作業を実施する日時を示す「点検日」の詳細が入力され、右部においては、点検設備において点検作業を実施する詳細な内容（例えば、「温度計は正常範囲か？」）を示す「点検項目」情報が入力されることとなる。
【０１９３】
この点検情報作成画面２の左部における符号１０６１が示す領域には、点検情報作成画面１において入力された「点検名」、「点検コース」、「点検設備」が表示されている。尚、画面右部において入力された点検項目は、符号１０６１が示す領域に表示されている「点検名」、「点検コース」、「点検設備」で行われる「点検項目」情報として、相互に関連付けられて記憶部２６に記憶される。
【０１９４】
また、符号１０６２、１０６３、１０６４が示す位置に表示された各日程情報の所定箇所を選択入力することにより、入力された所定箇所がチェック表示される。このチェック表示されている状態で、右部における符号１０７３に示す登録ボタンが入力されることにより、上述した「点検名」、「点検コース」、「点検設備」について点検作業を実施する詳細な日程が「点検日」情報として、相互に関連付けられて記憶部２６に位置づけられた「点検実施情報データベース」（図９参照）に記憶される。
【０１９５】
また、点検情報作成画面２の右部における符号１０６５の位置には、新規入力チェック欄が表示されている。この新規入力チェック欄は、「点検項目」の新規作成を行う場合に入力されるものである。
【０１９６】
更に、符号１０６６の位置には、変更入力チェック欄が表示されている。この変更入力チェック欄は、既に作成された「点検項目」の変更を行う場合に入力されるものである。また、符号１０６８の位置には、「点検項目」表示欄が表示されている。この「点検項目」表示欄には、既に作成され、符号１０６１に示す「点検名」、「点検コース」、「点検設備」と関連付けられて記憶されている「点検項目」の一覧が表示される。符号１０６６の位置に示す変更入力チェック欄に入力が行われると、符合１０６８の位置に示す「点検項目」表示欄に表示された「点検項目」を選択することができるようになる。
【０１９７】
更にまた、符号１０６９の位置には、内容編集ボタンが表示されている。更にまた、符号１０７０の位置には、「点検項目」入力欄が表示されている。この「点検項目」入力欄には、符号１０６１の位置に示す「点検名」、「点検コース」、「点検設備」においてどんな内容の点検を行うか（例えば、「温度計は正常範囲か？」）という点検項目の詳細が文字入力される。更にまた、符号１０７３の位置には登録ボタンが表示されている。
【０１９８】
上述した符号１０６５に示す新規チェック欄に入力が行われた状態で、符号１０６９の位置に示す内容編集ボタンが入力されると、符号１０７０の位置に示す「点検項目」入力欄は、空欄として表示され、カーソルのみが点滅表示され、「点検項目」の新規入力を待ち受ける状態となる。
【０１９９】
一方、上述した符号１０６６に示す変更チェック欄に入力が行われ、かつ、符号１０６８の位置に示す「点検項目」表示欄に表示された「点検項目」が選択された状態で、符号１０６９の位置に示す内容編集ボタンが入力されると、符号１０７０の位置に示す「点検項目」入力欄には、選択した「点検項目」の内容が表示され、「点検項目」の変更入力を待ち受ける状態となる。
【０２００】
そして、符号１０７０の位置に示す「点検項目」入力欄に入力が行われた状態で、符号１０７３の位置に示す登録ボタンが入力されると、「点検項目」入力欄に入力が行われた内容が、「点検名」、「点検コース」、「点検設備」及び「点検日」と、相互に関連付けられて記憶部２６に位置づけられた「点検実施情報データベース」（図９参照）に記憶される。
【０２０１】
尚、本実施形態における図１３に示す点検情報作成画面２では、「点検日」、「点検項目」の入力が行われることとしたが、本発明はこれに限らず、「点検者」等の他の点検情報の入力が行われることとしてもよい。
【０２０２】
更にまた、符号１０７１が示す位置には、「ＯＫ」、「ＮＧ」、「注意」の３つの種類についての詳細内容設定チェック欄が表示されている。更にまた、符号１０７２が示す位置には、「詳細内容の設定をする」ボタンが表示されている。
【０２０３】
本実施形態における端末装置４１Ａでは、点検結果の入力が行われるが、この点検結果の入力は、質問形式で進められる点検項目の表示に従って、「ＯＫ」、「ＮＧ」、「注意」の３つのボタンから選択されることにより行われるものである。符号１０７１及び符号１０７２においては、この「ＯＫ」、「ＮＧ」、「注意」の３つのボタンが選択入力された際に端末装置４１Ａで表示される詳細内容の設定入力が行われることとなる。
【０２０４】
符号１０７１が示す、「ＯＫ」、「ＮＧ」、「注意」についての詳細内容設定チェック欄の何れかに選択入力が行われた状態で、符号１０７２に示す「詳細内容の設定をする」ボタンが入力されると、詳細内容設定入力画面（図示せず）が表示され、詳細内容の設定入力が行われる。
【０２０５】
これにより、例えば、端末装置４１Ａにおいて、表示された「点検項目」が「温度計は正常範囲か？」という内容であり、「ＯＫ」又は「ＮＧ」が選択入力されたときには、詳細内容として、「−１０℃以下」、「−１０℃〜０℃」、「０℃以上」、等を表示させ、点検実施者は、より絞り込んだ詳細な点検結果を選択入力できるようになる。
【０２０６】
このように、「サーバにおいて、前記点検情報記憶手段は、複数の点検情報を点検が行われる日付ごとに記憶するものであり、かつ、前記点検情報提供手段は、当該点検者が点検を行う日付に応じて、前記記憶部に点検が行われる日付ごとに記憶した複数の点検情報を提供し得るものである」ので、サーバに週、月、年スケジュールが記憶されており、定期点検、不定期点検に限らず、サーバはその日一日行うべき点検作業スケジュールを選択して端末装置に送信することができ、例えば毎週所定の日に行うことが決まっているような点検意識の高い定期点検に限らず、例えば月に一度、年に一度点検を行えばいいような点検意識が低くなりがちな不定期点検であっても、点検漏れを回避することが期待できる。
【０２０７】
上述した図１１に示すスタート画面において、符号１１１２の位置に示す点検準備ボタンが入力されると、図１４に示す点検情報転送設定画面が表示される。
【０２０８】
図１４に示す点検情報転送設定画面では、アプリケーションを起動させることによりスタート画面（図１１参照）が表示され、スタート画面において符号１１１２に示す点検準備ボタンが入力された日時に該当する、「点検名」、「点検コース」、「点検設備」が表示されるものである。
【０２０９】
つまり、図１２に示す点検情報作成画面１、図１３に示す点検情報作成画面２において、所定の入力を行うことにより、「点検名」、「点検コース」、「点検設備」、「点検日」、「点検項目」等の各種点検情報は、記憶部２６に位置づけられた「点検実施作業データベース」（図９参照）に相互に関連付けられて記憶されているものである。
【０２１０】
そして、スタート画面において符号１１１２に示す点検準備ボタンが入力された日時に該当する「点検日」が読み出され、これに関連付けられて記憶されている、「点検名」、「点検コース」、「点検設備」が読み出され、表示されることとなるのである。
【０２１１】
図１４に示す符号１０５２Ａが示す位置には、「点検名」表示欄が表示されている。この「点検名」表示欄には、上述した如く、スタート画面において符号１１１２に示す点検準備ボタンが入力された日時に該当する「点検日」に関連付けられて記憶されている「点検名」が読み出され、一覧表示される。この「点検名」表示欄に一覧表示された「点検名」は選択入力が可能となっている。
【０２１２】
また、符号１０５４Ａが示す位置には、「点検コース」表示欄が表示されている。この「点検コース」表示欄には、上述した符号１０５２Ａにおいて選択入力された「点検名」に関連付けられた「点検コース」が読み出され、一覧表示される。この「点検コース」表示欄に一覧表示された「点検コース」は選択入力が可能となっている。
【０２１３】
更に、符号１０５６Ａが示す位置には、「点検設備」表示欄が表示されている。この「点検設備」表示欄には、上述した符号１０５４Ａにおいて選択入力された「点検コース」に関連付けられた「点検設備」が読み出され、一覧表示される。この「点検設備」表示欄に一覧表示された「点検設備」は選択入力が可能であり、かつ、複数の選択が可能となっている。
【０２１４】
更にまた、符号１０５８が示す位置には、追加ボタンが表示されている。更にまた、符号１０５９が示す位置には、削除ボタンが表示されている。
【０２１５】
更にまた、上述した符号１０５２Ａに示す「点検名」表示欄に一覧表示された「点検名」から一の「点検名」が選択された状態で、符号１０５８が示す追加ボタンが入力されると、選択された「点検名」が、符号１０５２Ｂが示す「点検名」決定表示欄に表示される。また、符号１０５２Ｂが示す「点検名」決定表示欄に表示された「点検名」に誤りがあった場合には、それを選択し、符号１０５９に示す削除ボタンを入力することにより「点検名」決定表示欄から削除される。
【０２１６】
更にまた、上述した符号１０５４Ａに示す「点検コース」表示欄に一覧表示された「点検コース」から一の「点検コース」が選択された状態で、符号１０５８が示す追加ボタンが入力されると、選択された「点検コース」が、符号１０５４Ｂが示す「点検コース」決定表示欄に表示される。また、符号１０５４Ｂが示す「点検コース」決定表示欄に表示された「点検コース」に誤りがあった場合には、それを選択し、符号１０５９に示す削除ボタンを入力することにより「点検コース」決定表示欄から削除される。
【０２１７】
更にまた、上述した符号１０５６Ａに示す「点検設備」表示欄に一覧表示された「点検設備」から一又は複数の「点検設備」が選択された状態で、符号１０５８が示す追加ボタンが入力されると、選択された「点検設備」が、符号１０５６Ｂが示す「点検設備」決定表示欄に表示される。また、符号１０５６Ｂが示す「点検設備」決定表示欄に表示された「点検設備」に誤りがあった場合には、この誤りのあった「点検設備」を選択し、符号１０５９に示す削除ボタンを入力することにより、選択された点検設備が「点検設備」決定表示欄から削除される。
【０２１８】
更にまた、符号１０６０の位置には転送ボタンが表示されている。この転送ボタンが入力されると、上述した符号１０５２Ｂ、１０５４Ｂ、１０５６Ｂに表示されている内容が端末装置４１Ａに転送されることとなる。
【０２１９】
尚、上述した如く、サーバ２１から端末装置４１Ａへの点検に関する情報の転送は、データ供給装置３１を介してサーバ２１と端末装置４１Ａとの間で直接行われるものであっても、ネットワークを介して行われるものであってもよい。
【０２２０】
また、図１１に示す、スタート画面において、符号１１１３に示す帳票作成ボタンが入力されると、サーバ２１の表示部２７には、図１５に示す如く、点検結果一覧画面が表示される。
【０２２１】
この点検結果一覧画面は、上述した記憶部２６に位置づけられている「点検結果履歴データベース」（図１０参照）に基づいて表示部２７に画像表示されるものである。
【０２２２】
この点検結果一覧画面において、符号１０８０が示す位置には、点検作業が行われた、「点検名」、「点検コース」、「点検設備」、「実施日」が表示される。また、符号１０８２が示す位置には、点検作業を実施した「点検者」が表示される。更に、符号１０８４が示す位置には、「点検項目」が表示される。更にまた、符号１０８６が示す位置には、「状態」が表示される。この「状態」は「点検結果」に含まれるものであり、例えば、「ＯＫ」、「ＮＧ」、「注意」等が表示される。更にまた、符号１０８８が示す位置には、上述した「詳細情報」が表示される。この「詳細情報」は「点検結果」に含まれるものである。
【０２２３】
また、この点検結果一覧画面では、画面情報に並べて表示されている各種のメニューボタンを操作することにより、表示されている各種情報のプリンタ等への出力、この各種の点検情報に基づいたグラフや帳票等の作成等、管理、編集、出力等の処理を行うものである。
【０２２４】
［端末装置の構成］
本発明の実施形態における端末装置である端末装置４１Ａの制御回路を示すブロック図を図１６に示す。ここでは端末装置４１Ａについて説明するが、他の端末装置４１Ｂ、４１Ｃ、．．．．．．も同様の構成を有するものとする。
【０２２５】
図１６に示すように、端末装置である端末装置４１Ａにおいては、データバスＢＵＳに、ＣＰＵ４２、メモリ４３、信号の送受信を行う通信Ｉ／Ｆ４５、液晶表示パネルやＣＲＴ等で構成された表示部４４、ハードディスクとそのドライブ等で構成された記憶部４６が接続されている。また、表示部４４は、例えば、マトリックス状に感圧素子を配置した透明なパネルをディスプレイの表面に配置することにより構成されるタッチパネルやタッチスクリーン、ジョグダイヤルやキーボード等からなる操作部としての機能を有する。
【０２２６】
「ＣＰＵ４２」は、請求項中の、「点検情報受取手段」、「点検情報画像表示手段」、「点検結果情報入力手段」、「点検結果情報記憶手段」、「点検結果情報提供手段」、「撮像手段」、の一部を構成するものに相当する。
【０２２７】
「メモリ４３」は、請求項中の、「点検情報受取手段」、「点検情報画像表示手段」、「点検結果情報入力手段」、「点検結果情報記憶手段」、「点検結果情報提供手段」、「撮像手段」、の一部を構成するものに相当する。
【０２２８】
「記憶部４６」は、請求項中の、「点検情報受取手段」、「点検情報画像表示手段」、「点検結果情報入力手段」、「点検結果情報記憶手段」、「点検結果情報提供手段」、「撮像手段」、の一部を構成するものに相当する。
【０２２９】
「通信Ｉ／Ｆ４５」は、請求項中の、「点検結果情報提供手段」、「点検情報受取手段」、の一部を構成するものに相当する。
【０２３０】
「表示部４４」は、請求項中の、「点検情報画像表示手段」、「点検結果情報入力手段」、「撮像手段」、の一部を構成するものに相当する。
【０２３１】
また、本実施形態においては、上述した表示部４４は、表示部４４においてタッチパネルやタッチスクリーンで構成されることとして以下説明する。
【０２３２】
ＣＰＵ４２は記憶部４６に格納されている動作プログラムに従って種々の動作を実行するようになされており、この動作プログラム自体、動作プログラムにより生成された変数等をメモリ４３に一時的に記録し、当該動作に応じて各回路部を制御する。ＣＰＵ４２の各種処理内容は必要に応じて表示部４４に表示される。
【０２３３】
また、上述した記憶部４６には、サーバ２１の記憶部２６に記憶されている各種のデータテーブルに基づいて、サーバ２１から提供された所定の各種点検情報が記憶されている。例えば、「点検実施作業データベース」（図９参照）に記憶されている各種点検情報の少なくとも一部（例えば、ある「点検日」にのみ関連した他の各種の点検情報）、等が記憶されている。
【０２３４】
操作部としての表示部４４は、点検者が各種の点検結果の選択入力情報を選択入力すると、当該各種の点検結果の選択入力情報をＣＰＵ４２に供給する。
【０２３５】
更に、通信Ｉ／Ｆ４５は、ネットワーク５１に対して通信可能としてなるものであり、点検情報等の各種情報を送受信する機能を有する。
【０２３６】
ＣＰＵ４２は、この点検結果の選択入力情報が供給されると、通信先であるサーバ２１に対する接続要求を、通信Ｉ／Ｆ４５を介してネットワーク５１に対して行う。ネットワーク５１には、最寄りの基地局、プロバイダ（図示せず）等が含まれており、それらは、上述した要求をサーバ２１に受け渡す。従って、端末装置４１Ａからサーバ２１に対してある情報の提供を要求した場合には、ネットワーク５１の基地局が当該要求をサーバ２１に受け渡す。
【０２３７】
尚、本実施形態では、端末装置４１Ａにおける点検結果の選択入力情報は、ネットワーク５１を介して送信されることにより、サーバ２１に提供されることとしたが、本発明はこれに限らず、ネットワーク５１を介して送信される以外にも、点検結果の選択入力情報を、着脱可能なメモリカード等の記憶媒体に記憶し、このメモリカード等の記憶媒体により直接に提供することとしてもよい。
【０２３８】
更にまた、カメラ４８は、「点検設備」等の状態を撮像する機能を有し、撮像した情報を記憶部４６に供給する。
【０２３９】
「カメラ４８」は、請求項中の、「撮像手段」、の一部を構成するものに相当する。
【０２４０】
［端末装置における表示例］
上述した如くＣＰＵ４２は、サーバ２１から上述した各種の点検情報データベース（図４から図１０）に基づいて提供された各種の点検情報を受け取り、この受け取った各種の点検情報を記憶部４６に記憶する。そして、この記憶部４６に記憶した各種の点検情報データベースに記憶されている各種の点検情報に基づいて、後述する画像を表示部４４に表示することになる。
【０２４１】
この各種の点検情報に基づく画像データを表示部４４に供給することにより、表示部４４に画像が表示され、図１７から図２５に示す各種アプリケーションを操作することとなる。
【０２４２】
図１７は、本発明の一実施形態における端末装置４１Ａの表示部４４に表示されるメインメニュー画面の概略を示す一例である。
【０２４３】
図１８は、本発明の一実施形態における端末装置４１Ａの表示部４４に表示される点検コース選択画面の概略を示す一例である。
【０２４４】
図１９は、本発明の一実施形態における端末装置４１Ａの表示部４４に表示される設備選択画面の概略を示す一例である。
【０２４５】
図２０は、本発明の一実施形態における端末装置４１Ａの表示部４４に表示される点検作業画面１の概略を示す一例である。
【０２４６】
図２１は、本発明の一実施形態における端末装置４１Ａの表示部４４に表示される点検作業画面２の概略を示す一例である。
【０２４７】
図２２は、本発明の一実施形態における端末装置４１Ａの表示部４４に表示される点検者登録画面１の概略を示す一例である。
【０２４８】
図２３は、本発明の一実施形態における端末装置４１Ａの表示部４４に表示される点検者登録画面２の概略を示す一例である。
【０２４９】
図２４は、本発明の一実施形態における端末装置４１Ａの表示部４４に表示される点検結果一覧画面の概略を示す一例である。
【０２５０】
図２５は、本発明の一実施形態における端末装置４１Ａの表示部４４に表示されるカメラモード画面の概略を示す一例である。
【０２５１】
この処理において表示される画像の表示例について、最初は図１７に示す如き画面が表示されることとなる。また、図１７に示す如き画面が表示され、その後の操作に基づいて、図１８から図２５の画面が表示されることとなる。
【０２５２】
端末装置４１Ａの表示部４４には、図１７に示す如く、本点検システム１０におけるメインメニュー画面が表示される。
【０２５３】
尚、本実施形態における端末装置４１Ａでは、このメインメニュー画面が、端末装置４１Ａの電源を投入することにより、自動的に表示されるものであるが、本発明はこれに限らず、自動的に表示されるものでなくとも、点検者の操作に基づいて表示されるものであってもよい。
【０２５４】
このメインメニュー画面の下方には、４つの選択ボタン画像１００４（１００４Ａ〜１００４Ｄ）が表示される。これらの選択ボタン画像１００４（１００４Ａ〜１００４Ｄ）は、点検開始ボタン画像１００４Ａ、点検者登録ボタン画像１００４Ｂ、結果一覧ボタン画像１００４Ｃ、点検継続ボタン画像１００４Ｄという４つのボタン画像から構成されている。点検者がそれらの操作ボタン画像に触接することにより、メニュー選択され、図１８、図２２、図２４に示す如き画像が表示されることとなる。
【０２５５】
点検開始ボタン画像１００４Ａが選択された場合には、図１８に示す如く、点検コース選択画面が表示される。また、点検者登録ボタン画像１００４Ｂが選択された場合には、図２２に示す如く、点検者登録画面が表示される。更には、結果一覧ボタン画像１００４Ｃが選択された場合には、図２４に示す如く、点検結果一覧画面が表示される。更にまた、点検継続ボタン画像１００４Ｄが選択された場合には、点検作業を中断した画面が表示される。以下、図１７から図２５の各図面に基づいて表示部４４に表示される各種画面について説明する。
【０２５６】
図１７に示す「メインメニュー画面」において、点検開始ボタン画像１００４Ａが選択された場合には、図１８に示す如く、「点検コース選択画面」が表示される。
【０２５７】
この「点検コース選択画面」の中央には、一又は複数の点検コース画像１００５が表示される。また、点検コース選択画面の下方には、メニュー選択ボタン画像１００６と、ＯＫボタン画像１００７と、が表示される。
【０２５８】
例えば、符号１００５Ａに示す点検コース画像の一が触接されたと検知した場合には、選択されたことを示すため、その点検コース画像１００５Ａを反転表示、若しくは、着色表示させる。また、この点検コース画像１００５Ａが選択された状態で、ＯＫボタン画像１００７が触接されたと検知した場合には、図１９に示す「設備選択画面」が表示部４４に表示される。また、メニュー選択ボタン画像１００６が触接されたと検知した場合には、「メインメニュー画面」が表示されることとなる。
【０２５９】
このように、図１８に示す点検コース画像の一１００５Ａが選択され、更に、ＯＫボタン画像が選択された場合には、図１９に示す如く、「設備選択画面」が表示される。
【０２６０】
この設備選択画面の上方には、選択された点検コース画像１０１１が表示される。また、設備選択画面の中央には、一又は複数の設備画像１００８が表示される。更には、設備選択画面の下方には、メニュー選択ボタン画像１００６と、ＯＫボタン画像１００７と、戻るボタン画像１００９と、が表示される。
【０２６１】
例えば、符号１００８Ａに示す設備画像の一が触接されたと検知した場合には、選択されたことを示すため、その設備画像１００８Ａを反転表示、若しくは、着色表示させる。また、この設備画像１００８Ａが選択された状態で、ＯＫボタン画像１００７が触接されたと検知した場合には、図２０に示す如く、「点検作業画面」が表示部４４に表示される。また、メニュー選択ボタン画像１００６が触接されたと検知した場合には、「メインメニュー画面」が表示されることとなる。更には、戻るボタン画像１００９が触接されたと検知した場合には、一つ前の画面が表示される。
【０２６２】
このように、図１９に示す設備選択画像の一１００８Ａが選択され、更に、ＯＫボタン画像１００７が選択された場合には、図２０に示す如く、「点検作業画面」が表示される。
【０２６３】
この点検作業画面の上方には、選択された点検コース画像１０１１と、選択された設備画像１０１２と、が表示される。また、その設備画像１０１２の下方には、点検項目画像１０１３が表示される。また、その点検項目画像１０１３の下方には、各種の点検結果入力ボタン画像１０１４（１０１４Ａ〜１０１４Ｃ）が表示される。尚、点検結果入力ボタン画像１０１４には、ＯＫボタン画像１０１４Ａと、ＮＧボタン画像１０１４Ｂと、注意画像１０１４Ｃと、が含まれている。更には、その各種の点検結果入力ボタン画像１０１４の下方には、状態表示画像１０１５が表示される。更にまた、状態表示画像１０１５の下方には、中断ボタン画像１０１６と、次へボタン画像１０１７と、戻るボタン画像１００９と、が表示される。
【０２６４】
具体的には、点検項目画像１０１３には、点検対象設備の点検項目の内容が、「温度計は正常範囲か？」というように、質問形式で表示される。
【０２６５】
この点検項目の内容に一致すると点検者が判別した場合には、ＯＫボタン画像１０１４Ａに触接し、上述した点検項目の内容に一致すると点検者が判別しない場合には、ＮＧボタン画像１０１４Ｂに触接することとなる。また、それ以外に選択するケースがあると点検者が判別した場合には、注意画像１０１４Ｃに触接することとなる。また、この触接の結果は、状態表示画像１０１５に表示されることとなる。
【０２６６】
この状態で、次へボタン画像１０１７が触接された場合には、この点検結果が記録されることとなる。また、中断ボタン画像１０１６が触接された場合には、この点検結果が一時的に記録され、図１７に示す如きメインメニュー画面が表示される。そして、図１７に示す点検継続ボタン画像１００４Ｄが触接された場合には、この一時的に記録された点検結果が再度表示されることとなる。
【０２６７】
このように、点検作業を行う点検者は、点検結果の入力を、具体的な数値入力、文字入力等で行う必要がなく、端末装置の表示画面上に表示されている複数の点検結果の中から、該当する点検結果を選択するだけで行うことができ、かつ、その入力を該当する点検結果が表示されている画像に触れるだけで行うことができる。このため、点検結果の入力に要する時間を削減し、入力の煩わしさを解消することが期待でき、点検作業効率を高めることが期待できる。
【０２６８】
また、「前記端末装置の表示部に表示される複数の点検情報画像は、質問形式の文章を示す文字画像で表示されるものであり、かつ、前記端末装置の表示部に表示される複数の点検結果情報画像は、前記質問形式の文章に応答する文字画像で表示されるものである」ように構成する場合には、点検者は、例えば、表示画面に、「温度は２０℃〜２５℃ですか？」という点検情報画像が表示され、それに応答する点検結果画像として表示画面に表示される「ＯＫ」又は「ＮＧ」のいずれかを選択するというように、点検作業が対話式で進められ、基本的に「ＯＫ」又は「ＮＧ」のいずれかの選択入力を行うことで点検作業を行うことができ、点検作業を行う設備等の専門知識に乏しい者であっても、点検作業を容易に行うことが期待できる。
【０２６９】
また、上述した各種の点検結果入力ボタン画像１０１４を触接する場合には、図２１に示す如き画面が表示されるケースもある。
【０２７０】
この点検作業画面では、図２１に示す如く、点検項目画像１０１３の下方に、点検結果選択画像１０１８がポップアップ表示される。例えば、点検項目が「温度計は正常範囲か？」という内容であり、ＯＫボタン画像１０１４Ａが選択入力されたときには、詳細内容として、例えば、「−１０℃〜０℃」、「０℃〜１０℃」、といった詳細な点検結果情報を複数表示させ、点検者は詳細な点検結果を選択入力できるようになる。
【０２７１】
符号１０１８Ａに示す点検結果選択画像の一（例えば、「−１０℃〜０℃」）が触接されたと検知した場合には、選択されたことを示すため、その点検結果選択画像１０１８Ａを反転表示、若しくは、着色表示させる。また、この点検結果選択画像１０１８Ａが選択された状態で、次へボタン画像１０１７が触接されたと検知した場合には、選択された点検結果選択画像１０１８Ａが示す点検結果として記録されることとなる。
【０２７２】
このように、点検作業を行う点検者は、点検結果の入力を、具体的な数値入力、文字入力等で行う必要がなく、端末装置の表示画面上に表示されている複数の点検結果の中から、該当する点検結果を選択するだけで行うことができ、かつ、その入力を該当する点検結果が表示されている画像に触れるだけで行うことができる。このため、点検結果の入力に要する時間を削減し、入力の煩わしさを解消することが期待でき、点検作業効率を高めることが期待できる。
【０２７３】
また、点検作業が対話式で進められ、基本的に「ＯＫ」又は「ＮＯ」のいずれかの選択入力を行うことで点検作業を行うことができ、点検作業を行う設備等の専門知識に乏しい者であっても、点検作業を容易に行うことが期待できる。
【０２７４】
更に、図２０に示す各種の点検結果入力ボタン画像１０１４（１０１４Ａ〜１０１４Ｃ）の一を触接する場合には、図２５に示す如き画面が表示されるケースもある。
【０２７５】
図２５は、カメラモードに移行したことを示す「カメラモード画面」であり、このカメラモード画面では、端末装置４１Ａに備えられたカメラ４８（図１６参照）により撮像されている画像が撮像フレーム１０４０内に表示される。また、撮像フレーム１０４０の下部には、シャッタボタン画像１０４２が表示される。
【０２７６】
撮像フレーム１０４０に画像が表示されている状態で、シャッタボタン画像１０４２が触接されたと検知した場合には、検知した際に撮像フレーム１０４０に表示されていた画像が、静止表示される。
【０２７７】
また、撮像フレーム１０４０に画像が静止表示されている状態で、ＯＫボタン画像１００７が触接されたと検知した場合には、撮像フレーム１０４０に静止表示されている画像が画像データとして端末装置４１Ａの記憶部４６に記憶される。
【０２７８】
一方、撮像フレーム１０４０に画像が静止表示されている状態で、キャンセルボタン画像１０３２が触接されたと検知した場合には、撮像フレーム１０４０に静止表示されている画像の静止状態が解除され、カメラ４８（図１６参照）により撮像されている画像が撮像フレーム１０４０内に表示され、再びシャッタボタン画像１０４２が触接されたと検知した場合には、検知した際に撮像フレーム１０４０に表示されていた画像が、静止表示されるのである。
【０２７９】
これにより、点検作業を行う際に、点検作業を行う設備等の画像を撮像することができ、撮像した設備等の画像データをサーバに提供することができる。これにより、点検設備に異常があったときに、異常がある箇所を画像としてサーバに提供することができるので、異常の原因が一見して判別でき、点検結果がより確実なものとなることが期待できる。また、異常があった設備を早期に、より確実に、修理、調整を行うことが期待できる。
【０２８０】
尚、本実施形態における端末装置では、静止表示された画像をサーバに提供することとしたが、本発明はこれに限らず、サーバに提供される画像は、静止画であると、動画であるとを問わない。
【０２８１】
更にまた、上述した図２０に示す「点検作業画面」において各種の点検結果入力ボタン画像１０１４のうちＮＧボタン画像１０１４Ｂを触接し、次へボタン画像１０１７が触接されたと検知した場合には、図２１の符号１０１８が示す位置に、設備メンテナンス詳細情報画像がポップアップ表示されることとしてもよい。
【０２８２】
この設備メンテナンス詳細情報画像は、点検作業を行った設備に異常箇所があることが発見された場合に、この点検設備が有する異常箇所を点検者に修理、調整させるための方法、手順等が含まれる画像を示すものである。
【０２８３】
尚、この設備メンテナンス詳細情報は、サーバ２１の記憶部２６に、各種の点検情報に関連付けられて予め記憶されており、サーバ２１から端末装置４１Ａに提供された各種の点検情報に関連付けられて提供される。
【０２８４】
これにより、端末装置は、「前記端末装置における点検結果情報入力手段により入力された点検結果が異常な状態を示す点検結果である場合には、当該異常な状態を示す点検結果の異常修正情報を表示部に表示させる」ので、点検作業が終了する前の段階で、点検設備の異常箇所を発見し、点検作業中に点検設備の異常箇所を早期に修理、調整することが期待でき、工場等に損害が生じてしまうことを防止することが期待できる。
【０２８５】
また、図１７に示す「メインメニュー画面」において点検者登録ボタン画像１００４Ｂが選択された場合には、図２２に示す如く、点検者登録画面が表示される。
【０２８６】
この点検者登録画面の中央には、点検者一覧画像１０３１が表示される。また、その点検者一覧画像１０３１の下方には、メニュー選択ボタン画像１００６と、ＯＫボタン画像１００７と、キャンセルボタン画像１０３２と、が表示される。
【０２８７】
例えば、符号１０３１Ａに示す点検者画像の一が触接されたと検知した場合には、選択されたことを示すため、その点検者一覧画像１０３１Ａを反転表示、若しくは、着色表示させる。また、この点検者一覧画像１０３１Ａが選択された状態で、ＯＫボタン画像１００７が触接されたと検知した場合には、図２３に示す如く、点検者確認画面がポップアップ表示される。
【０２８８】
この点検者確認画面は、図２３に示す如く、点検者確認画像１０３３と、ＮＯボタン画像１０３５と、ＯＫボタン画像１０３６と、から構成されており、上述した点検者登録画面により選択された点検者が点検者確認画像１０３３として表示される。そして、ＯＫボタン画像１０３５が触接されたと検知したことにより、点検者の登録を行い、ＮＧボタン画像が触接されたと検知したことにより、図２２に示す如く、点検者登録画面が再表示されることとなる。
【０２８９】
尚、本実施形態においては、点検作業を行う点検実施者の登録は、図２２、図２３に示すように、複数の点検者画像のなかから、一又は複数を選択することとしたが、本発明はこれに限らず、選択入力ではなく、点検実施者に任意に入力されることとしてもよい。
【０２９０】
次いで、図１７に示す結果一覧ボタン画像１００４Ｃが選択された場合には、図２４に示す如く、「点検結果一覧画面」が表示される。尚、図２０、図２１において、各種の点検結果入力ボタン画像１０１４のうち一が触接され、次へボタン画像１０１７が触接されたときに、必要な点検結果の選択入力が全て行われ、点検作業が終了したと判別された場合においても、この画面が表示されることとなる。
【０２９１】
この「点検結果一覧画面」の上方には、選択された点検コース画像１０１１と、選択された設備画像１０１２と、が表示される。また、その設備画像１０１２の下方には、点検項目一覧画像１０２１が表示される。更には、この点検項目一覧画像１０２１の下方には、メニュー選択ボタン画像１００６と、修正ボタン画像１０２２と、が表示される。
【０２９２】
この「点検結果一覧画面」においては、すでに点検結果の選択入力を行った点検項目について修正を加える場合には、以下のように操作を行う。
【０２９３】
例えば、符号１０２１Ａに示す点検項目一覧画像の一が触接されたと検知した場合には、選択されたことを示すため、その点検項目一覧画像１０２１Ａを反転表示、若しくは、着色表示させる。また、この点検項目一覧画像１０２１Ａが選択された状態で、修正ボタン画像１０２２が触接されたと検知した場合には、図２０に示す如く、点検作業画面が表示され、点検作業を修正することができることとなる。
【０２９４】
また、この点検結果一覧画面において、点検作業が行われなかった点検項目が存在する場合には、表示された点検項目一覧画像１０２１のうち、点検作業が行われなかった点検項目一覧画像１０２１Ａの一又は複数を反転表示、若しくは、着色表示させる場合がある。
【０２９５】
この点検作業が行われなかった点検項目、つまり点検漏れのあった点検項目について点検結果を選択入力する場合には、この点検項目一覧画像１０２１Ａが反転表示、若しくは、着色表示された状態で、修正ボタン画像１０２２が触接されたと検知した場合には、図２０に示す如く、点検作業画面が表示され、点検作業が行われなかった点検項目が表示され、点検作業が行われなかった設備等の点検作業を行うことができることとなる。
【０２９６】
これにより、点検作業が終了する前の段階で、点検漏れ等を発見し、点検作業中に点検漏れ等を修正することが期待でき、また、点検漏れ、点検ミス等が生じた点検箇所が重要度の高い点検箇所であった場合に工場等に損害が生じてしまうことを防止することが期待できる。
【０２９７】
また、点検漏れ、点検ミス等が生じた箇所の点検を行うために、再度点検作業を行うという、無駄な時間、労力等が費やされるおそれを軽減することが期待できる。
【０２９８】
図１７に示す「メインメニュー画面」において、点検継続ボタン画像１００４Ｄが選択された場合には、図２０に示す如く、点検作業画面が表示される。この点検作業画面では、図２０に示す中断ボタン画像１０１６が触接されたときの状態を維持し、その状態が再度表示されることとなる。
【０２９９】
［情報処理システムの動作］
次に、本実施形態の点検システムを構成する各装置で行われる処理について図２６から図２８を用いて説明する。
【０３００】
以下においては、サーバ２１、端末装置４１Ａは予め起動されており、上述したサーバ２１のＣＰＵ２２、端末装置４１ＡのＣＰＵ４２において用いられる変数は所定の値に初期化され、定常動作しているものとする。
【０３０１】
［システム全体の処理］
図２６は、本実施形態の点検システム１０を構成するサーバ２１、端末装置４１Ａの間でのデータや信号の提供、取得を説明するためのシステム全体の処理をタイミングチャート示す図である。
【０３０２】
図２６に示す如く、最初に、サーバ２１では、点検情報入力処理を実行する（ステップＳ１０１）。本点検システム１０を利用して点検情報を入力するユーザは、図１２、図１３に示す如く、表示部２７に表示される「点検情報作成画面」に従って各種の点検情報を入力することとなる。この処理においてサーバ２１の入力部２４は、各種の入力情報を取得し、その各種入力情報を、データバスＢＵＳを介して、ＣＰＵ２２に供給する。この処理が終了したときには、ステップＳ１０２に処理を移す。
【０３０３】
尚、本実施形態における点検システム１０では、入力部２４により入力された点検情報を受け取るものであったが、本発明はこれに限らず、ネットワーク５１を介して点検情報を受け取るものであってもよく、例えば、電子メール等が該当する。
【０３０４】
次いで、サーバ２１では、点検情報データテーブル作成処理を行う（ステップＳ１０２）。この処理において、サーバ２１におけるＣＰＵ２２は、入力部２４から供給された各種の入力情報、即ち、入力者により入力された、「点検名」、「点検コース」、「点検設備」（何れも図１２参照）、「点検日」、「点検項目」、「点検結果」（いずれも図１３参照）等、各種の点検情報を記憶部２６に記憶する。また、この点検情報は、上述した各種のデータベース（図４から図１０参照）に示す如き、各々が関連付けられて記憶されるものである。この処理が終了したときには、ステップＳ１０３に処理を移す。
【０３０５】
次いで、サーバ２１では、点検情報提供処理を実行する（ステップＳ１０３）。この処理において、ＣＰＵ２２は、上述したステップＳ１０２の処理において作成し、記憶部２６に記憶した、各種のデータベースに基づいて、「点検名」、「点検コース」、「点検設備」、「点検項目」、「点検結果」等の各種の点検情報を読み出し、その読み出した各種点検情報を、この点検情報に基づいて各種の動作を行わせるプログラム等とともに、通信Ｉ／Ｆ２５を介して端末装置４１Ａに提供する。
【０３０６】
これにより、点検作業の順回路を示す点検コース、点検コースに含まれる点検設備、点検設備で行うべき点検項目、点検項目に応じて選択入力を行うための複数の点検結果等、所定の点検作業を行う際に必要なデータが一括して送信されることとなる。
【０３０７】
また、この各種の点検情報の提供タイミングは、上述した如く、「点検実施情報データテーブル」の各種の点検情報と関連付けられて記憶されている「点検日」情報に基づいて、所定の日時が到来したと判別した場合に提供される。更に、「点検日」情報に基づき、所定の日時が到来したと判別した場合に限らず、入力部２４からの提供信号を受け取ったと判別した場合、更にまた、端末装置４１Ａから提供要求信号を受け取った場合等、に端末装置４１Ａに提供されるものである。この処理が終了したときには、ステップＳ１０４に処理を移す。
【０３０８】
尚、本実施形態における上述したステップＳ１０３の処理においては、各種の点検情報等を、サーバ２１から端末装置４１Ａに通信Ｉ／Ｆ４５を介して送信することとしたが、本発明はこれに限らず、ネットワーク５１を介して通信を行うこととはせず、メモリカード等の記憶媒体により、直接提供することとしてもよい。
【０３０９】
一方、端末装置４１Ａでは、点検情報受取処理を実行する（ステップＳ２０１）。この処理において、ＣＰＵ４２は、ステップＳ１０３の処理によりサーバ２１から提供された、上述した各種の点検情報を、ネットワーク５１、通信Ｉ／Ｆ４５を介して受け取る。この処理が終了したときには、ステップＳ２０２に処理を移す。
【０３１０】
尚、本実施形態における上述したステップＳ２０１の処理においては、サーバ２１から送信された点検情報データ等を通信Ｉ／Ｆ４５を介して受信することとしたが、本発明はこれに限らず、サーバ２１を介して通信を行うこととはせず、メモリカード等の記憶媒体により、直接提供することとしてもよい。
【０３１１】
次いで、点検情報データ記録処理を実行する（ステップＳ２０２）。この処理において、端末装置４１ＡにおけるＣＰＵ４２は、上述したステップＳ２０１の処理においてサーバ２１から受け取った点検情報等を記憶部４６に記憶する。この処理が終了したときには、ステップＳ２０３に処理を移す。
【０３１２】
次いで、点検結果選択入力処理を実行する（ステップＳ２０３）。この処理において、端末装置４１ＡにおけるＣＰＵ４２は、上述したステップＳ２０２の処理において記憶部４６に記憶した各種の点検情報等を読み出し、その読み出した点検情報等に基づいて、表示部４４に、上述した図１７〜図２５に示す如き点検作業画像を表示させる画像表示処理、点検結果の選択入力処理、選択入力された点検結果の記憶処理等、点検作業の実施に関する各種の処理を行う。詳しくは、図２７を用いて後述する。この処理が終了したときには、ステップＳ２０４に処理を移す。
【０３１３】
次いで、点検作業が終了したか否かを判断する（ステップＳ２０４）。この処理において、ＣＰＵ４２は、点検作業が終了したか否か、即ち、上述したステップＳ２０３の処理において記憶部４６に記憶した点検結果の選択入力情報が、「点検項目」に関連付けられて、所定の領域にすべて記憶されているか否かを判断する。ＣＰＵ４２は、点検結果の選択入力情報が、「点検項目」に関連付けられて、所定の領域にすべて記憶されていると判別した場合には、ステップＳ２０５に処理を移し、点検結果の選択入力情報が、「点検項目」に関連付けられて、所定の領域にすべて記憶されていないと判別した場合には、ステップＳ２０２に処理を移し、いまだ点検結果の選択入力情報が記憶されていない「点検項目」を判別し、この判別した「点検項目」を「点検作業画面」（図２０参照）に所定の画像を表示させる。この処理が終了した場合には、ステップＳ２０５に処理を移す。
【０３１４】
次いで、点検結果一覧表示処理を実行する（ステップＳ２０５）。この処理において、ＣＰＵ４２は、上述したステップＳ２０３の処理において、記憶部４６に記憶した、「点検コース」、「点検設備」、「点検項目」、選択入力された「点検結果」等、各種の点検情報を読み出し、その読み出した点検情報に基づいて、表示部４４に「点検結果一覧画面」（図２４）を表示する。この処理が終了したときには、ステップＳ２０６に処理を移す。
【０３１５】
次いで、点検作業の修正があるか否かを判断する（ステップＳ２０６）。この処理において、ＣＰＵ４２は、図２４に示す如く、表示部４４に表示した「点検結果一覧画面」において、修正ボタン画像１０２２が触接されたか否かを判断する。ＣＰＵ４２は、修正ボタン画像１０２２が触接されたと判別した場合には、修正があると判別し、ステップＳ２０２に処理を移し、修正ボタン画像１０２２が触接されていないと判別した場合には、修正がないと判別し、ステップＳ２０７に処理を移す。
【０３１６】
次いで、点検結果選択入力情報提供処理を実行する（ステップＳ２０７）。この処理において、ＣＰＵ４２は、上述したステップＳ２０３の処理において、記憶部４６に記憶した、点検作業を実行した結果を示す、各種の点検結果選択入力情報、これに関連付けられた各種の点検情報を読み出し、その読み出した各種の点検結果選択入力情報、これに関連付けられた各種の点検情報を、通信Ｉ／Ｆ４５を介してサーバ２１に送信する。この処理が終了したときには、本サブルーチンを終了させる。
【０３１７】
次いで、サーバ２１では、点検結果選択入力情報受取処理を実行する（ステップＳ１０４）。この処理において、サーバ２１のＣＰＵ２２は、上述したステップＳ２０７の処理において、端末装置４１Ａから送信された、各種の点検結果選択入力情報、これに関連付けられた各種の点検情報を通信Ｉ／Ｆ２５を介して受信する。この処理が終了したときには、ステップＳ１０５に処理を移す。
【０３１８】
尚、本実施形態における上述したステップＳ１０４の処理においては、端末装置４１Ａから送信された、点検作業を実行した結果を示す選択入力データを通信Ｉ／Ｆ２５を介して受信することとしたが、本発明はこれに限らず、通信を行うこととはせず、メモリカード等の記憶媒体により、端末装置４１から直接点検情報データを受け取ることとしてもよい。
【０３１９】
次いで、点検結果選択入力情報記憶処理を実行する（ステップＳ１０５）。この処理において、ＣＰＵ２２は、上述したステップＳ１０４の処理において、端末装置４１Ａから受信した各種の点検結果選択入力情報、これに関連付けられた各種の点検情報をサーバ２１の記憶部２６に記憶する。この処理が終了したときには、ステップＳ１０６に処理を移す。
【０３２０】
次いで、点検結果履歴データベース作成処理を実行する（ステップＳ１０６）。この処理において、ＣＰＵ２２は、上述したステップＳ１０５の処理において、記憶部２６に記憶した各種の点検結果選択入力情報、これに関連付けられた各種の点検情報に基づいて、「点検結果履歴データベース」（図１０参照）を作成する。この処理が終了したときには、ステップＳ１０７に処理を移す。
【０３２１】
次いで、評価判定処理を実行する（ステップＳ１０７）。この処理において、ＣＰＵ２２は、上述したステップＳ１０６の処理において、記憶部２６に記憶した「点検結果履歴データベース」に基づいて評価判定処理を行う。詳しくは図２８を用いて後述する。この処理が終了したときには、直ちに本サブルーチンを終了させる。
【０３２２】
尚、本実施形態における点検システム１０では、端末装置４１ＡのステップＳ２０３の処理において選択入力された点検結果選択入力情報を、ステップＳ２０３の処理において点検作業が終了した場合に一括して送信することとしたが、本発明はこれに限らず、端末装置４１Ａにおいて選択入力された点検結果選択入力情報を、点検者により選択入力が行われるごとに逐一サーバ２１に送信することとしてもよい。
【０３２３】
これによれば、例えば、ひとつの点検項目についての点検結果を入力したときに、または、ひとつの点検設備について点検が終了したときに、または、ひとつの点検コースについて点検が終了したときに、というように、点検作業中にその都度、サーバに点検結果を送信することができ、点検作業終了後に送信する場合と比較して、いち早く点検結果を入力することができ、サーバ側でこの点検結果を参照することができる。
【０３２４】
また、このように、選択入力が行われるごとに逐一サーバ２１に送信する場合には、以下のような処理を行うこととしてもよい。
【０３２５】
例えば、ステップＳ２０３の処理において点検結果の選択入力が行われると、ＣＰＵ４２は、通信のための電波状況を検知し、送信可能か否かを判断する。ＣＰＵ４２は、アンテナにより電波を受信していると検知した場合には、電波状況が良好であると判別し、点検結果選択入力情報を通信Ｉ／Ｆ４５、ネットワーク５１を介してサーバ２１に送信する。一方、アンテナにより電波を受信していないと検知した場合には、電波状況が不良であると判別し、選択入力された点検結果選択入力情報を記憶部４６に記憶する。そして、次の点検を実行するべく、ステップＳ２０３に処理を移し、点検結果選択入力処理を実行する。点検結果の選択入力が行われると、ＣＰＵ４２は、通信のため、再び電波状況を検知し、送信可能か否かを判断する。つまり、電波状況が不良であると判別した場合には、電波状況が良好と判別されるまで選択入力された点検結果選択入力情報を記憶部４６に累積的に記憶することとなる。
【０３２６】
これにより、電波状況の悪い環境では、サーバ２１へデータの提供を行わず、情報を累積的に記憶し、電波状況の良好な場合に確実に送信処理を行うこととなるので、送信が失敗することによる点検結果選択入力情報のサーバ２１への未入力を防ぐことが期待できる。
【０３２７】
また、点検作業が行われ、点検結果選択入力情報が入力されるたびに送信することとなるので、点検と時間の開きなく入力が行われる、サーバ２１を操作するユーザは、点検設備の状態を時間の開きなく確認することができ、また、後述するカメラ４８により点検設備の画像情報等を送信すると、より一層、設備の状態を時間の開きなく確認することが期待でき、異常等が発生している場合には、迅速な対応をとることが期待できるものである。
【０３２８】
尚、上述した如く、電波状況を検知し、電波状況の良好なときに送信する方法とは別の送信方法により送信することとしてもよい。例えば、点検作業を実施すべき点検順路、点検スケジュールは「点検コース」情報として決められているものであるので、その「点検コース」の示す点検順路の中で電波状況が良好な場所を判別しておき、この場所を通過する時間を予め決めておくことにより、この場所を通過する時間となった場合に、送信処理を行うこととしてもよい。
【０３２９】
これにより、送信が失敗することによる点検結果選択入力情報のサーバ２１への未入力を防ぐことが期待できる。
【０３３０】
また、点検作業が行われ、点検結果選択入力情報が入力されるたびに送信することとなるので、点検と時間の開きなく入力が行われる、サーバ２１を操作するユーザは、点検設備の状態を時間の開きなく確認することができ、また、後述するカメラ４８により点検設備の画像情報等を送信すると、より一層、設備の状態を時間の開きなく確認することが期待でき、異常等が発生している場合には、迅速な対応をとることが期待できる。
【０３３１】
更に、上述した効果に加えて、送信する場所、時間が決定されており、ある所定の時間になった場合には必ず送信処理が行われることとなり、送信時間に送信があったか否かにより、点検実施者のトラブルや、怠慢等、点検作業を行う点検実施者の点検作業を管理することが期待できる。
【０３３２】
［点検結果選択入力処理］
図２７は、上述した図２７に示すステップＳ２０３の処理において呼び出される点検結果選択入力処理の流れを示すフローチャート図である。
【０３３３】
図２７に示す如く、最初に、画像表示処理を実行する（ステップＳ２１１）。この処理において、端末装置４１ＡにおけるＣＰＵ４２は、上述した図２６に示すステップＳ２０２の処理において記憶部４６に記憶した各種の点検情報等を読み出し、その読み出した各種の点検情報等に基づいて、表示部４４に、上述した図１７〜図２５に示す如き点検作業画像を表示させる。この処理が終了したときには、ステップＳ２１２に処理を移す。
【０３３４】
次いで、選択入力受付処理を実行する（ステップＳ２１２）。この処理において、端末装置４１ＡにおけるＣＰＵ４２は、上述したステップＳ２１１の処理において、表示部４４に表示された点検作業画像に応じて、点検実施者により例えば、図１９に示す如く、「ＯＫ」、「ＮＧ」、「注意」等のボタン画像のうちいずれか一のボタン画像が触接されたことを検知する。この処理が終了したときには、ステップＳ２１３に処理を移す。
【０３３５】
次いで、選択入力情報記憶処理を実行する（ステップＳ２１３）。この処理において、ＣＰＵ４２は、上述したステップＳ２１２の処理において、ボタン画像が触接され、選択入力が行われたと検知したときには、この選択入力が行われた各種の点検結果の選択入力情報を記憶部４６に記憶する。この処理が終了したときには、ステップＳ２１４に処理を移す。
【０３３６】
次いで、選択入力された点検結果情報が正常範囲にあるか否かを判断する（ステップＳ２１４）。この処理において、ＣＰＵ４２は、上述したステップＳ２１３の処理において、記憶部４６に記憶した点検結果の選択入力情報を読み出し、この読み出した点検結果の選択入力情報と、サーバ２１から提供され、記憶部４６に記憶されている「点検結果データベース」（図８参照）とを参照し、この点検結果の選択入力情報に関連付けられた「評価基準」情報を読み出す。そして、ＣＰＵ２２は、この読み出した「評価基準」情報が所定の値（例えば、「−５」）以下であるか否かを判断する。ＣＰＵ２２は、この読み出した「評価基準」情報が所定の値以下である、即ち、選択入力された点検結果情報が正常範囲ではないと判別した場合には、点検設備に異常箇所が存在すると判別し、ステップＳ２１５に処理を移す。一方、ＣＰＵ４２は、この読み出した「評価基準」情報が所定の値以下ではない、即ち、選択入力された点検結果情報が正常範囲であると判別した場合には、点検設備に異常箇所が存在しないと判別し、本サブルーチンを終了させる。
【０３３７】
次いで、カメラモードに切り替える処理を実行する（ステップＳ２１５）。この処理において、ＣＰＵ４２は、表示部４４に「カメラモード画面」（図２５参照）を表示させ、この端末装置４１Ａに備えられたカメラ４８を撮像有効状態に移行させる。この処理が終了した場合には、ステップＳ２１６に処理を移す。
【０３３８】
次いで、シャッタが検知されたか否かを判断する（ステップＳ２１６）。この処理において、ＣＰＵ４２は、図２５に示す如く、「カメラモード画面」に表示されたシャッタボタン画像１０４２が触接されたか否かを判断する。ＣＰＵ４２は、シャッタボタン画像１０４２が触接されたと判別した場合には、ステップＳ２１７に処理を移し、シャッタボタン画像１００６が触接されていないと判別した場合には、ステップＳ２１６に処理を移す。この処理が終了した場合には、ステップＳ２１７に処理を移す。
【０３３９】
次いで、画像記憶処理を実行する（ステップＳ２１７）。この処理において、ＣＰＵ４２は、表示部４４に表示されたカメラモード画面（図２５参照）において、上述したステップＳ２１６の処理において撮像フレーム１０４０に画像が表示されている状態でシャッタボタン画像１０４２が触接されたと判別したときには、触接された際に撮像フレーム１０４０に表示されていた画像を静止表示し、この画像が静止表示されている状態で、ＯＫボタン画像１００７が触接されたと判別したときには、撮像フレーム１０４０に静止表示した画像を「点検画像」情報として、この「点検画像」を各種の点検情報と関連付けて、記憶部４６に記憶する。この処理が終了したときには、本サブルーチンを終了させる。
【０３４０】
このように、「端末装置は、画像を撮像し得る撮像手段を備える」ので、点検作業を行う際に、点検作業を行う設備等の画像を撮像することができ、撮像した設備等の画像データをサーバに提供することができる。これにより、点検設備に異常があったときに、異常がある箇所を画像としてサーバに提供することができるので、異常の原因が一見して判別でき、点検結果がより確実なものとなることが期待できる。また、異常があった設備を早期に、より確実に、修理、調整を行うことが期待できる。
【０３４１】
次いで、評価判定処理を実行する（ステップＳ１０７）。この処理において、ＣＰＵ２２は、上述したステップＳ１０６の処理において、記憶部２６に記憶した「点検結果履歴データベース」に基づいて評価判定処理を行う。
【０３４２】
ステップＳ１０６の処理において作成された「点検結果履歴データベース」は、「点検実施日時」、「点検名」、「点検コース」、「点検設備」、「点検項目」、「点検結果」等、実施した各種の点検作業に関する情報と、「点検結果」に応じた点検結果の評価基準を示す「点検ポイント」情報が関連付けられて記憶されている。
【０３４３】
この点検結果の評価基準を示す「点検ポイント」は、点検設備において或る内容の点検作業を行った結果に基づいて、その点検設備の安全度、耐久度、老朽度等を判定するための基準となるものである。
【０３４４】
例えば、異常がない場合（「ＯＫ」）は「０」ポイントとし、異常がある場合（「ＮＧ」）は「−１」ポイントとして、その設備ごとの「点検結果」に関連付けられた「点検ポイント」について集計を行い、ある基準値（「−１０」）以下となった場合には、その設備になんらかの異常があると判別するものである。この処理が終了したときには、直ちに本サブルーチンを終了させる。
【０３４５】
尚、上述したステップＳ１０７の処理において、算出した「点検ポイント」が、ある基準値（「−１０」）以下であると判別し、その設備になんらかの異常があると判別した場合には、サーバ２１の表示部２７に、異常のある設備、以上のレベル、等を報知することとしてもよい。また、画像に限らず、音声により報知を行うこととしてもよい。
【０３４６】
また、端末装置４１Ａの表示部４４に画像を表示、又は、音声により報知を行うこととしてもよい。
【０３４７】
更に、本実施形態では、上述したステップＳ１０７における評価判定処理はサーバ２１で行われるものであったが、本発明はこれに限らず、この評価判定処理は端末装置４１Ａで行われることとしてもよい。
【０３４８】
端末装置で報知を行う場合には、端末装置４１Ａの表示部４４に、設備メンテナンス詳細情報画像を表示することとしてもよい。
【０３４９】
この設備メンテナンス詳細情報画像は、点検作業を行った設備に異常箇所があることが発見された場合に、この点検設備が有する異常箇所を点検者に修理、調整させるための方法、手順等が含まれる画像を示すものである。
【０３５０】
これにより、異常のあった点検設備を点検実施者に早急に修理、修繕させることが期待できるものである。
【０３５１】
尚、この設備メンテナンス詳細情報は、サーバ２１の記憶部２６に、各種の点検情報に関連付けられて予め記憶されており、サーバ２１から端末装置４１Ａに提供された各種の点検情報に関連付けられて提供される。
【０３５２】
［評価判定処理］
図２８は、上述した図２６に示すステップＳ１０７の処理において呼び出される評価判定処理の流れを示すフローチャート図である。
【０３５３】
図２８に示す如く、最初に、点検ポイント読出処理画を実行する（ステップＳ１１１）。この処理において、サーバ２１におけるＣＰＵ２２は、記憶部２６に記憶されている「点検ポイント」情報を読み出す。ステップＳ１０６の処理において作成された「点検結果履歴データベース」は、「点検実施日時」、「点検名」、「点検コース」、「点検設備」、「点検項目」、「点検結果」等、実施した各種の点検作業に関する情報と、「点検結果」に応じた点検結果の評価基準を示す「点検ポイント」情報が関連付けられて記憶されている。
【０３５４】
この点検結果の評価基準を示す「点検ポイント」は、点検設備において或る内容の点検作業を行った結果に基づいて、その点検設備の安全度、耐久度、老朽度等を判定するための基準となるものである。
【０３５５】
例えば、異常がない場合（「ＯＫ」）は「０」ポイントとし、異常がある場合（「ＮＧ」）は「−１」ポイントとして、その設備ごとの「点検結果」に関連付けられた「点検ポイント」について集計を行い、ある基準値（「−１０」）以下となった場合には、その設備になんらかの異常があると判別するものである。
【０３５６】
本ステップＳ１１１の処理が終了したときには、ステップＳ１１２に処理を移す。
【０３５７】
次いで、点検ポイント演算処理を実行する（ステップＳ１１２）。この処理において、ＣＰＵ２２は、上述したステップＳ１１１の処理において読み出した「点検ポイント」情報に基づいて、「点検ポイント」の集計を行う。この処理が終了した場合には、ステップＳ１１３に処理を移す。
【０３５８】
次いで、演算結果記憶処理を実行する（ステップＳ１１３）。この処理において、ＣＰＵ２２は、上述したステップＳ１１２の処理において演算処理を実行した結果算出された「点検ポイント」情報を記憶部２６に記憶する。この処理が終了した場合には、ステップＳ１１４に処理を移す。
【０３５９】
次いで、正常範囲か否かを判断する（ステップＳ１１４）。この処理において、ＣＰＵ２２は、記憶部２６に記憶した「点検ポイント」情報が正常範囲内にあるか否かを判断する。ＣＰＵ２２は、「点検ポイント」情報が正常範囲内にあると判別した場合には、直ちに本サブルーチンを終了させ、「点検ポイント」情報が正常範囲内にないと判別した場合には、ステップＳ１１５に処理を移す。
【０３６０】
次いで、点検異常報知処理を実行する（ステップＳ１１５）。この処理において、ＣＰＵ２２は、「点検ポイント」が正常範囲内にない、例えば、ある基準値（「−１０」）以下であると判別した場合には、その設備になんらかの異常があると判別し、サーバ２１の表示部２７に、異常のある設備、異常のレベル等を報知する。また、画像に限らず、音声により報知を行うこととしてもよい。更に、端末装置４１Ａの表示部４４に画像を表示、又は、音声により報知を行うこととしてもよい。この処理が終了した場合には、直ちに本サブルーチンを終了する。
【０３６１】
尚、本実施形態では、上述したステップＳ１０７における評価判定処理はサーバ２１で行われるものであったが、本発明はこれに限らず、この評価判定処理は端末装置４１Ａで行われることとしてもよい。
【０３６２】
端末装置で報知を行う場合には、端末装置４１Ａの表示部４４に、設備メンテナンス詳細情報画像を表示することとしてもよい。
【０３６３】
この設備メンテナンス詳細情報画像は、点検作業を行った設備に異常箇所があることが発見された場合に、この点検設備が有する異常箇所を点検者に修理、調整させるための方法、手順等が含まれる画像を示すものである。
【０３６４】
これにより、異常のあった点検設備を点検実施者に早急に修理、修繕させることが期待できるものである。
【０３６５】
尚、この設備メンテナンス詳細情報は、サーバ２１の記憶部２６に、各種の点検情報に関連付けられて予め記憶されており、サーバ２１から端末装置４１Ａに提供された各種の点検情報に関連付けられて提供される。
【０３６６】
【発明の効果】
本発明によれば、「複数の点検情報を記憶する点検情報記憶手段と、当該点検情報記憶手段により記憶された複数の点検情報を提供する点検情報提供手段と、を備えたサーバと、画像が表示される表示部と、前記サーバにおける点検情報提供手段から提供された複数の点検情報を受け取る点検情報受取手段と、を備えた端末装置と、からなる点検システムであって、前記端末装置は、前記点検情報受取手段により受け取った複数の点検情報に基づいて前記表示部に複数の点検情報画像の表示を行う点検情報画像表示手段と、前記点検情報画像表示手段により前記表示部に表示された複数の点検情報画像に応じて点検結果情報が入力される点検結果情報入力手段と、前記点検結果情報入力手段により入力された点検結果情報を記憶する点検結果情報記憶手段と、前記点検結果情報記憶手段により記憶された点検結果情報を前記サーバに提供する点検結果情報提供手段と、を備え、前記サーバは、前記端末装置が備える点検結果情報提供手段により提供された点検結果情報を受け取る点検結果情報受取手段と、を備え、前記サーバの備える点検情報記憶手段は、前記点検結果情報受取手段により受け取った点検結果情報と、前記点検情報提供手段により前記端末装置に提供した複数の点検情報と、を関連付けて記憶することを特徴とする」点検システムを提供し、点検システムは、サーバに記憶されている点検作業に関する情報を、端末装置に提供し、記憶させるので、点検実施者は、この端末装置を携帯しながら点検作業を行ことが可能となる。また、点検のチェック作業が、そのまま点検結果の入力作業となるので、点検作業が簡便となる。
【０３６７】
また、各種の点検情報、例えば、点検順路を示す「点検コース」、点検作業の対象となる「点検設備」、その設備における点検作業の具体的内容を示す「点検項目」等、が関連付けて記憶されるものであるため、あるコースで行う複数の点検設備、その点検設備で行うべき点検項目等、点検作業に関する各種の情報を管理することが容易となる。
【図面の簡単な説明】
【図１】本発明の一実施形態における点検システムの構成を示す概略図である。
【図２】本発明の一実施形態における点検システムの構成を示す概略図である。
【図３】本発明の一実施形態におけるサーバの電気的な構成を示すブロック図である。
【図４】本発明の一実施形態におけるサーバのデータベースを示す説明図である。
【図５】本発明の一実施形態におけるサーバのデータベースを示す説明図である。
【図６】本発明の一実施形態におけるサーバのデータベースを示す説明図である。
【図７】本発明の一実施形態におけるサーバのデータベースを示す説明図である。
【図８】本発明の一実施形態におけるサーバのデータベースを示す説明図である。
【図９】本発明の一実施形態におけるサーバのデータベースを示す説明図である。
【図１０】本発明の一実施形態におけるサーバのデータベースを示す説明図である。
【図１１】本発明の一実施形態におけるサーバにおける画像の表示例を示す概略図である。
【図１２】本発明の一実施形態におけるサーバにおける画像の表示例を示す概略図である。
【図１３】本発明の一実施形態におけるサーバにおける画像の表示例を示す概略図である。
【図１４】本発明の一実施形態におけるサーバにおける画像の表示例を示す概略図である。
【図１５】本発明の一実施形態におけるサーバにおける画像の表示例を示す概略図である。
【図１６】本発明の一実施形態における端末装置の電気的な構成を示すブロック図である。
【図１７】本発明の一実施形態における端末装置における画像の表示例を示す概略図である。
【図１８】本発明の一実施形態における端末装置における画像の表示例を示す概略図である。
【図１９】本発明の一実施形態における端末装置における画像の表示例を示す概略図である。
【図２０】本発明の一実施形態における端末装置における画像の表示例を示す概略図である。
【図２１】本発明の一実施形態における端末装置における画像の表示例を示す概略図である。
【図２２】本発明の一実施形態における端末装置における画像の表示例を示す概略図である。
【図２３】本発明の一実施形態における端末装置における画像の表示例を示す概略図である。
【図２４】本発明の一実施形態における端末装置における画像の表示例を示す概略図である。
【図２５】本発明の一実施形態における端末装置における画像の表示例を示す概略図である。
【図２６】本発明の一実施形態における点検システムのフローチャートを示す図である。
【図２７】本発明の一実施形態における端末装置のフローチャートを示す図である。
【図２８】本発明の一実施形態における端末装置のフローチャートを示す図である。
【符号の説明】
１０  点検システム
２１  サーバ
２２、４２  ＣＰＵ
２３、４３  メモリ
２４  入力部
２５、４５  通信インターフェイス
２６、４６  記憶部
２７、４４  表示部
３１  データ供給装置
４１  端末装置
４４  表示部
４８  カメラ
５１  ネットワーク
【図１】
2004310616.tif 000003
【図２】
2004310616.tif 000004
【図３】
2004310616.tif 000005
【図４】
2004310616.tif 000006
【図５】
2004310616.tif 000007
【図６】
2004310616.tif 000008
【図７】
2004310616.tif 000009
【図８】
2004310616.tif 000010
【図９】
2004310616.tif 000011
【図１０】
2004310616.tif 000012
【図１１】
2004310616.tif 000013
【図１２】
2004310616.tif 000014
【図１３】
2004310616.tif 000015
【図１４】
2004310616.tif 000016
【図１５】
2004310616.tif 000017
【図１６】
2004310616.tif 000018
【図１７】
2004310616.tif 000019
【図１８】
2004310616.tif 000020
【図１９】
2004310616.tif 000021
【図２０】
2004310616.tif 000022
【図２１】
2004310616.tif 000023
【図２２】
2004310616.tif 000024
【図２３】
2004310616.tif 000025
【図２４】
2004310616.tif 000026
【図２５】
2004310616.tif 000027
【図２６】
2004310616.tif 000028
【図２７】
2004310616.tif 000029
【図２８】
2004310616.tif 000030